(57)【要約】本発明によれば、ホーム位置登録機（ＨＬＲ）と交換局システムとの間あるいは交換局システム間の信呼処理のための信号中継ポイント；上記交換局システムに連結される私設交換機；及び着／発信番号を翻訳して上記交換局システムに提供する呼設定管理装置；を含み、上記翻訳された番号を活用して上記交換局システムが私設無線網呼処理を行うことを特徴とする私設無線網統合サービスシステムが開示される。
2010507960.tif 000002
【特許請求の範囲】
【請求項１】
ホーム位置登録機と交換局システムとの間あるいは交換局システム間の信呼処理のための信号中継ポイント；
上記交換局システムに連結される私設交換機；及び
着／発信番号を翻訳して上記交換局システムに提供する呼設定管理装置；を含み、
上記翻訳された番号を活用して上記交換局システムが私設無線網呼の処理を行うことを特徴とする私設無線網統合サービスシステム。
【請求項２】
上記呼設定管理装置は、上記私設交換機とともに私設無線網をなし私設無線網加入者の登録と位置による管理機能を提供する私設位置登録装置；を含み、
上記私設位置登録装置によって着／発信番号が翻訳されることを特徴とする請求項１に記載の私設無線網統合サービスシステム。
【請求項３】
上記交換局システムは、
上記私設交換機ごとに付与されるＧＴ（Ｇｌｏｂａｌ Ｔｉｔｌｅ）コードを貯蔵するＧＴデータベース；及び
私設網加入者を区分することができる、ＷＰＢＸ Ｓｅｒｖｉｃｅ Ｉｎｄｉｃａｔｏｒ、ＷＰＢＸ Ｉｎ／Ｏｕｔ Ｉｎｄｉｃａｔｏｒ、ＷＰＢＸ Ｎｏ.及びＷＰＢＸ基地局情報のうち選択された何れか一つに該当する識別子が加えられた加入者情報を貯蔵する加入者ＶＬＲデータベース；を備え、
着信番号を解釈して特殊コードが含まれた場合を私設無線網呼として認識し、上記着信番号に含まれたＧＴコードを解釈するか、発信端末が属する私設交換機を確認して着信端末の該当のＷＰＢＸ私設交換機を区分することを特徴とする請求項２に記載の私設無線網統合サービスシステム。
【請求項４】
上記呼設定管理装置は、上記信号中継ポイントに連結される専用位置登録／サービス制御ポイント；を含み、
上記専用位置登録／サービス制御ポイントによって着／発信番号が翻訳されることを特徴とする請求項１に記載の私設無線網統合サービスシステム。
【請求項５】
上記交換局システムで、着信番号に特殊コードが含まれたことが確認されたとき上記専用位置登録／サービス制御ポイントにルーティングし、
上記専用位置登録／サービス制御ポイントで、上記交換局システムからルーティングされた着信番号に含まれたＧＴコードを解釈するかあるいは発信端末が属する私設交換機を確認して着信端末の該当のＷＰＢＸ私設交換機を区分することを特徴とする請求項４に記載の私設無線網統合サービスシステム。
【請求項６】
上記呼設定管理装置は、上記信号中継ポイントに連結されるサービス制御ポイントを含み、
上記サービス制御ポイントによって着／発信番号が翻訳されることを特徴とする請求項１に記載の私設無線網統合サービスシステム。
【請求項７】
上記交換局システムで、着信番号に特殊コードが含まれたことが確認されたとき上記サービス制御ポイントにルーティングし、
上記サービス制御ポイントで、上記交換局システムからルーティングされた着信番号に含まれたＧＴコードを解釈するか、発信端末が属する私設交換機を確認して着信端末の該当のＷＰＢＸ私設交換機を区分することを特徴とする請求項６に記載の私設無線網統合サービスシステム。
【請求項８】
上記特殊コードは、「＃」、「＊」及び「＃＊」のうち選択された何れか一つであることを特徴とする請求項３、請求項５及び請求項７のうち何れか一項に記載の私設無線網統合サービスシステム。
【請求項９】
ＣＮＩＰサービスを受ける着信端末の場合、呼処理時上記特殊コードを発信番号とともに上記着信端末に伝送することを特徴とする請求項８に記載の私設無線網統合サービスシステム。
【請求項１０】
上記交換局システムは、ＭＳＣ／ＶＬＲ、ＳＧＳＮ／ＶＬＲ及びＰＤＳＮのうち選択された何れか一つまたは二つ以上から構成されたことを特徴とする請求項１に記載の私設無線網統合サービスシステム。
【請求項１１】
公衆移動通信網において、
交換局システムで発信端末の呼要請を受信し私設無線網の呼であるか否かを判断する段階；
上記呼が私設無線網の呼である場合着信番号の私設交換機を定め、定められた私設交換機に対応する呼設定管理装置に対して位置経路を要請する段階；
上記呼設定管理装置で上記着信番号を翻訳し位置経路応答メッセージを上記交換局システムに伝送する段階；及び
上記交換局システムで上記翻訳された着信番号を活用して無線端末に対してはページングを行い、有線端末に対しては該当の私設交換機を通じて呼設定処理を行う段階；を含むことを特徴とする私設無線網統合サービスシステムの呼処理方法。
【請求項１２】
上記呼設定管理装置は、私設位置登録装置であることを特徴とする請求項１１に記載の私設無線網統合サービスシステムの呼処理方法。
【請求項１３】
上記交換局システムは、
着信番号に特殊コードが含まれた呼を私設無線網呼として認識し、
上記着信番号に含まれたＧＴコードを解釈するか、上記発信端末の加入者ＶＬＲデータベースのＷＰＢＸ Ｎｏ.を活用して着信端末の該当の私設交換機を定めることを特徴とする請求項１２に記載の私設無線網統合サービスシステムの呼処理方法。
【請求項１４】
上記特殊コードは、「＃」、「＊」及び「＃＊」のうち選択された何れか一つであることを特徴とする請求項１３に記載の私設無線網統合サービスシステムの呼処理方法。
【請求項１５】
公衆移動通信網において、
交換局システムで発信端末の呼要請を受信する段階；
着信番号に特殊コードが含まれたと認識された場合、上記公衆移動通信網のホーム位置登録機に呼設定のためのルーティング情報を要請する段階；
上記ホーム位置登録機から提供されるルーティング情報に対応する呼設定管理装置に呼設定を要請する段階；
上記呼設定管理装置で、上記呼が私設無線網の呼であるか否かを判断し、私設無線網の呼である場合着信番号を翻訳して呼設定応答メッセージを上記交換局システムに伝送する段階；及び
上記交換局システムで上記翻訳された着信番号を活用して無線端末に対してはページングを行い、有線端末に対しては該当の私設交換機を通じて呼設定処理を行う段階；を含むことを特徴とする私設無線網統合サービスシステムの呼処理方法。
【請求項１６】
上記呼設定管理装置は、専用位置登録／サービス制御ポイントまたはサービス制御ポイントであることを特徴とする請求項１５に記載の私設無線網統合サービスシステムの呼処理方法。
【請求項１７】
上記交換局システムと呼設定管理装置との間にＭＡＰあるいはＣＡＰメッセージの処理が行われ、
無線端末間の私設無線網呼の場合には上記公衆移動通信網を活用して通話路が設定され、
無線端末と有線端末との間の私設無線網呼の場合には上記交換局システムと交換機間の専用線を通じて通話路が設定されることを特徴とする請求項１１または請求項１５に記載の私設無線網統合サービスシステムの呼処理方法。
【請求項１８】
上記呼設定管理装置は、
着信番号に特殊コードが含まれた呼を私設無線網呼として認識し、
上記着信番号に含まれたＧＴコードを解釈するか、上記発信端末の加入者ＶＬＲデータベースのＷＰＢＸ Ｎｏ.を活用して着信端末の該当の私設交換機を定めることを特徴とする請求項１６に記載の私設無線網統合サービスシステムの呼処理方法。
【請求項１９】
上記特殊コードは、「＃」、「＊」及び「＃＊」のうち選択された何れか一つであることを特徴とする請求項１８に記載の私設無線網統合サービスシステムの呼処理方法。
【請求項２０】
上記交換局システムは、ＭＳＣ／ＶＬＲ、ＳＧＳＮ／ＶＬＲ及びＰＤＳＮのうち選択された何れか一つまたは二つ以上から構成されることを特徴とする請求項１２または請求項１６に記載の私設無線網統合サービスシステムの呼処理方法。
【請求項２１】
ＣＮＩＰサービスを受ける着信端末の場合、上記特殊コードを発信番号とともに上記着信端末に伝送することを特徴とする請求項１４または請求項１９に記載の私設無線網統合サービスシステムの呼処理方法。
【請求項２２】
ホーム位置登録機と交換局システムとの間あるいは交換局システム間の信呼処理のための信号中継ポイント；
上記交換局システムに連結され連動する私設交換機；及び
上記信号中継ポイントに連結され、私設無線網加入者の登録処理と、公衆移動通信網及び私設無線網に対する端末の出入り状態の把握と、公衆移動通信網及び私設無線網加入者ＤＢの更新処理を行う加入者管理装置；を含む私設無線網統合サービスシステム。
【請求項２３】
上記加入者管理装置は、専用位置登録／サービス制御ポイントであることを特徴とする請求項２２に記載の私設無線網統合サービスシステム。
【請求項２４】
上記加入者管理装置には、ホーム位置登録機の加入者ＤＢとの連動を通じて、ＭＳＣ ＩＤ、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ及びデータ接続ＩＮＤのうち選択された何れか一つまたは二つ以上の基本パラメータがＤＢとして構築されていることを特徴とする請求項２２に記載の私設無線網統合サービスシステム。
【請求項２５】
上記加入者管理装置は、ホーム位置登録機であることを特徴とする請求項２２に記載の私設無線網統合サービスシステム。
【請求項２６】
上記加入者管理装置には、私設無線網に含まれた基地局あるいはサブセル識別子がＤＢとして構築され、
端末位置登録メッセージの受信時基地局情報と上記ＤＢとを比較して端末が私設無線網に移動したかあるいは公衆移動通信網に移動したかを判断することを特徴とする請求項２２に記載の私設無線網統合サービスシステム。
【請求項２７】
上記公衆移動通信網が同期式網である場合、Ｂａｓｅ ＩＤの特定ビット状態の変化ごとにＷＰＢＸ位置登録が行われ、
上記加入者管理装置は位置登録要請メッセージに含まれた基地局情報を通じて端末が私設無線網に移動したかあるいは公衆移動通信網に移動したかを判断することを特徴とする請求項２２に記載の私設無線網統合サービスシステム。
【請求項２８】
上記公衆移動通信網が同期式網である場合、端末に貯蔵されたＵｓｅｒ Ｚｏｎｅと上記公衆移動通信網から伝送したＵｓｅｒ Ｚｏｎｅが同一あるいは異なるように変更された時点でＵｓｅｒ Ｚｏｎｅ位置登録が行われ、
上記加入者管理装置は位置登録要請メッセージに含まれた基地局情報を通じて端末が私設無線網に移動したかあるいは公衆移動通信網に移動したかを判断することを特徴とする請求項２２に記載の私設無線網統合サービスシステム。
【請求項２９】
上記公衆移動通信網が同期式網である場合、公衆移動通信網のＺｏｎｅ ｎｕｍｂｅｒと私設無線網のＺｏｎｅ ｎｕｍｂｅｒが異なるように設定されて上記Ｚｏｎｅ ｎｕｍｂｅｒの変更ごとにＷＰＢＸ位置登録が行われ、
上記加入者管理装置は位置登録要請メッセージに含まれた基地局情報を通じて端末が私設無線網に移動したかあるいは公衆移動通信網に移動したかを判断することを特徴とする請求項２２に記載の私設無線網統合サービスシステム。
【請求項３０】
上記公衆移動通信網が非同期式網である場合、Ｃｅｌｌ ＩＤの特定ビット状態の変化ごとにＷＰＢＸ位置登録が行われ、
上記加入者管理装置は位置登録要請メッセージに含まれた基地局情報を通じて端末が私設無線網に移動したかあるいは公衆移動通信網に移動したかを判断することを特徴とする請求項２２に記載の私設無線網統合サービスシステム。
【請求項３１】
上記公衆移動通信網が非同期式網である場合、上記公衆移動通信網と私設無線網のＬＡＩが相異に設定されてＬＡＩの変更ごとにＷＰＢＸ位置登録が行われ、
上記加入者管理装置は位置登録要請メッセージに含まれた基地局情報を通じて端末が私設無線網に移動したかあるいは公衆移動通信網に移動したかを判断することを特徴とする請求項２２に記載の私設無線網統合サービスシステム。
【請求項３２】
上記公衆移動通信網が同期式網である場合、私設無線網加入者の登録／解除要請及び私設無線網サービスの可能／不可能に対するパラメータがＱＵＡＬＣＯＤＥによって規定されることを特徴とする請求項２２に記載の私設無線網統合サービスシステム。
【請求項３３】
上記交換局システムは、ＭＳＣ／ＶＬＲ、ＳＧＳＮ／ＶＬＲ及びＰＤＳＮのうち選択された何れか一つまたは二つ以上から構成されたことを特徴とする請求項２２に記載の私設無線網統合サービスシステム。
【請求項３４】
公衆移動通信網において、
加入者登録情報の入力時、私設位置登録装置で専用位置登録／サービス制御ポイントに私設無線網加入者登録を要請する段階；
上記専用位置登録／サービス制御ポイントで公衆移動通信網のホーム位置登録機に私設無線網加入者登録を要請する段階；
上記ホーム位置登録機で該当の加入者のＤＢに対して加入フラッグをオン（Ｏｎ）させた後、上記専用位置登録／サービス制御ポイントに私設無線網登録応答メッセージを伝送する段階；
上記専用位置登録／サービス制御ポイントで私設無線網加入者ＤＢを構成し、その応答メッセージを上記私設位置登録装置に伝送する段階；及び
上記私設位置登録装置に加入者ＤＢを構成する段階；を含むことを特徴とする私設無線網統合サービスシステムの加入者登録シグナリング処理方法。
【請求項３５】
上記私設位置登録装置で上記専用位置登録／サービス制御ポイントに伝送される登録要請メッセージには、ＳＰＥＣ、ＩＭＳＩ、Ｓｅｒｉａｌ Ｎｏ.、登録／削除及びＷＰＢＸ ＩＤ、カメラ制御ＩＮＤ及びデータ接続ＩＮＤのうち選択された何れか一つまたは二つ以上のパラメータが含まれたことを特徴とする請求項３４に記載の私設無線網統合サービスシステムの加入者登録シグナリング処理方法。
【請求項３６】
上記専用位置登録／サービス制御ポイントは、ＩＭＳＩ及びＳｅｒｉａｌ Ｎｏ.を用いて該当の端末を認証することを特徴とする請求項３４に記載の私設無線網統合サービスシステムの加入者登録シグナリング処理方法。
【請求項３７】
公衆移動通信網において、
ホーム位置登録機及び専用位置登録／サービス制御ポイントと連動する加入者登録装置に対する加入者登録情報の入力時、上記加入者登録装置で専用位置登録／サービス制御ポイントに私設無線網加入者登録を要請する段階；
上記専用位置登録／サービス制御ポイントで上記公衆移動通信網のホーム位置登録機に私設無線網加入者登録を要請する段階；
上記ホーム位置登録機で該当の加入者のＤＢに対して加入フラッグをオンさせた後上記専用位置登録／サービス制御ポイントに私設無線網登録応答メッセージを伝送する段階；及び
上記専用位置登録／サービス制御ポイントで私設無線網加入者ＤＢを構成し、その応答メッセージを上記加入者登録装置に伝送する段階；を含むことを特徴とする私設無線網統合サービスシステムの加入者登録シグナリング処理方法。
【請求項３８】
公衆移動通信網において、
ホーム位置登録機と連動する加入者登録装置に対する加入者登録情報の入力時、上記加入者登録装置で上記ホーム位置登録機に私設無線網加入者登録を要請する段階；及び
上記ホーム位置登録機で該当の加入者のＤＢを生成した後、上記加入者登録装置に私設無線網登録応答メッセージを伝送する段階；を含むことを特徴とする私設無線網統合サービスシステムの加入者登録シグナリング処理方法。
【請求項３９】
同期式の公衆移動通信網において、
交換局システムで発信端末の位置登録要請を受信して専用位置登録／サービス制御ポイントに位置登録要請メッセージを伝送する段階；
上記専用位置登録／サービス制御ポイントで上記交換局システムに位置登録応答メッセージを伝送する段階；
上記交換局システムで位置登録応答メッセージを無線システムに伝送し、上記無線システムでこれを端末に伝送する段階；
上記専用位置登録／サービス制御ポイントで上記位置登録要請メッセージに含まれたパラメータを活用して端末の位置変動発生を確認し、該当のパラメータを交換局システムに伝送する段階；
上記交換局システムで上記パラメータを用いてＶＬＲ加入者の私設無線網関連ＤＢを更新した後、上記専用位置登録／サービス制御ポイントに応答メッセージを伝送する段階；及び
上記交換局システムで上記私設無線網関連ＤＢの変更による状態通知メッセージを無線システムに伝送し、上記無線システムでこれを端末に伝送する段階；を含むことを特徴とする私設無線網統合サービスシステムの端末位置登録シグナリング処理方法。
【請求項４０】
上記専用位置登録／サービス制御ポイントで私設位置登録装置に私設無線網加入者ＤＢの変更を知らせるパラメータを伝送する段階；及び
上記私設位置登録装置で加入者ＤＢを更新した後、上記専用位置登録／サービス制御ポイントに応答メッセージを伝送する段階；をさらに含むことを特徴とする請求項３９に記載の私設無線網統合サービスシステムの端末位置登録シグナリング処理方法。
【請求項４１】
上記発信端末の位置登録要請は、Ｂａｓｅ ＩＤの特定ビット状態の変化ごとに発生することを特徴とする請求項３９に記載の私設無線網統合サービスシステムの端末位置登録シグナリング処理方法。
【請求項４２】
上記端末に対する上記位置登録応答メッセージまたは状態通知メッセージの伝送時、私設無線網出入制御表示及び端末機制御パラメータをともに伝送することを特徴とする請求項３９に記載の私設無線網統合サービスシステムの端末位置登録シグナリング処理方法。
【請求項４３】
非同期式の公衆移動通信網において、
交換局システムで発信端末の位置登録要請を受信して公衆移動通信網のホーム位置登録機に位置登録を要請する段階；
上記ホーム位置登録機で交換局システムに位置登録応答を伝送する段階；
上記交換局システムで専用位置登録／サービス制御ポイントに加入者位置情報登録要請メッセージを伝送する段階；
上記専用位置登録／サービス制御ポイントで端末の私設無線網の出入可否を確認した後、上記交換局システムに位置情報登録応答メッセージを伝送する段階；
上記交換局システムで位置登録応答メッセージを無線システムに伝送し、上記無線システムでこれを端末に伝送する段階；及び
上記交換局システムで上記私設無線網関連ＤＢの変更による状態通知メッセージを端末に伝送する段階；を含むことを特徴とする私設無線網統合サービスシステムの端末位置登録シグナリング処理方法。
【請求項４４】
上記専用位置登録／サービス制御ポイントで私設位置登録装置に位置情報を提供するための位置登録要請を伝送する段階；及び
上記私設位置登録装置で端末の位置情報を更新した後、上記専用位置登録／サービス制御ポイントに応答メッセージを伝送する段階；をさらに含むことを特徴とする請求項４３に記載の私設無線網統合サービスシステムの端末位置登録シグナリング処理方法。
【請求項４５】
上記発信端末の位置登録要請は、Ｃｅｌｌ ＩＤの特定ビット状態の変化ごとに発生することを特徴とする請求項４３に記載の私設無線網統合サービスシステムの端末位置登録シグナリング処理方法。
【請求項４６】
上記公衆移動通信網と私設無線網のＬＡＩが相異に設定され、
上記発信端末の位置登録要請は、上記ＬＡＩの変更ごとに発生することを特徴とする請求項４３に記載の私設無線網統合サービスシステムの端末位置登録シグナリング処理方法。
【請求項４７】
上記端末に対する上記位置登録応答メッセージ、ＧＭＭ（ＧＰＲＳ Ｍｏｂｉｌｉｔｙ Ｍａｎａｇｅｍｅｎｔ）メッセージまたはＭＭ（Ｍｏｂｉｌｉｔｙ Ｍａｎａｇｅｍｅｎｔ）Ｉｎｆｏメッセージの伝送時、私設無線網出入制御表示パラメータと、カメラ制御及びデータ接続制御のための端末機制御パラメータをともに伝送することを特徴とする請求項４３に記載の私設無線網統合サービスシステムの端末位置登録シグナリング処理方法。
【請求項４８】
公衆移動通信網において、
交換局システムで発信端末の位置登録要請を受信してホーム位置登録機に位置登録メッセージを伝送する段階；
上記ホーム位置登録機で上記位置登録メッセージに含まれたパラメータを活用して端末の位置変動発生を確認し、上記交換局システムに位置登録応答メッセージを伝送する段階；
上記交換局システムで上記パラメータを用いてＶＬＲ加入者の私設無線網関連ＤＢを更新した後、上記無線システムに応答メッセージを伝送し、上記無線システムでこれを端末に伝送する段階；及び
上記交換局システムで上記私設無線網関連ＤＢの変更による状態通知メッセージを無線システムに伝送し、上記無線システムでこれを端末に伝送する段階；を含むことを特徴とする私設無線網統合サービスシステムの端末位置登録シグナリング処理方法。
【請求項４９】
同期式公衆移動通信網の場合、上記端末に対する上記位置登録応答メッセージまたは状態通知メッセージの伝送時、私設無線網出入制御表示パラメータと、カメラ制御及びデータ接続制御のための端末機制御パラメータをともに伝送し、
非同期式公衆移動通信網の場合、上記端末に対する上記位置登録応答メッセージ、ＧＭＭメッセージまたはＭＭ Ｉｎｆｏメッセージの伝送時、私設無線網出入制御表示パラメータと、カメラ制御及びデータ接続制御のための端末機制御パラメータをともに伝送することを特徴とする請求項４８に記載の私設無線網統合サービスシステムの端末位置登録シグナリング処理方法。
【請求項５０】
上記発信端末の位置登録要請は、端末に貯蔵されたＵｓｅｒ Ｚｏｎｅと上記公衆移動通信網から伝送したＵｓｅｒ Ｚｏｎｅが同一あるいは異なるように変更された時点で発生することを特徴とする請求項３９、請求項４３及び請求項４８のうち何れか一項に記載の私設無線網統合サービスシステムの端末位置登録シグナリング処理方法。
【請求項５１】
公衆移動通信網のＺｏｎｅ ｎｕｍｂｅｒと私設無線網のＺｏｎｅ ｎｕｍｂｅｒが異なるように設定され、
上記発信端末の位置登録要請は、Ｚｏｎｅ ｎｕｍｂｅｒの変更ごとに発生することを特徴とする請求項３９、請求項４３及び請求項４８のうち何れか一項に記載の私設無線網統合サービスシステムの端末位置登録シグナリング処理方法。
【請求項５２】
ホーム位置登録機と交換局システムとの間あるいは交換局システム間の信呼処理のための信号中継ポイント；
上記交換局システムに連結され連動する私設交換機；及び
上記信号中継ポイントに連結され、呼要請時端末番号を翻訳して上記交換局システムに提供する呼処理管理装置；を含み、
上記交換局システムは上記呼処理管理装置から着／発信端末情報を受信し、着信端末のトラフィック状態を確認して発信端末に通話中状態を伝送することを特徴とする私設無線網統合サービスシステム。
【請求項５３】
上記呼処理管理装置は、
着信端末に対して私設無線網領域内の存在可否と有線網領域内の存在可否を確認して呼設定情報あるいはルーティング情報を上記交換局システムに伝送する処理をさらに行うことを特徴とする請求項５２に記載の私設無線網統合サービスシステム。
【請求項５４】
上記呼処理管理装置は、上記私設交換機側に備えられる私設位置登録装置であることを特徴とする請求項５２に記載の私設無線網統合サービスシステム。
【請求項５５】
上記交換局システムは、
上記私設交換機ごとに付与されるＧＴコードを貯蔵するＧＴデータベース；及び
私設網加入者を区分することができる、ＷＰＢＸ Ｓｅｒｖｉｃｅ Ｉｎｄｉｃａｔｏｒ、ＷＰＢＸ Ｉｎ／Ｏｕｔ Ｉｎｄｉｃａｔｏｒ、ＷＰＢＸ Ｎｏ.、ＷＰＢＸ基地局情報及び有線電話Ｉｎｄｉｃａｔｏｒのうち選択された何れか一つに該当する識別子が加えられた加入者情報を貯蔵する加入者ＶＬＲデータベース；を備え、
着信番号を解釈して特殊コードが含まれた場合を私設無線網呼として認識し、上記着信番号に含まれたＧＴコードを解釈するか、発信端末が属する私設交換機を確認して着信端末の該当のＷＰＢＸ私設交換機を区分することを特徴とする請求項５２に記載の私設無線網統合サービスシステム。
【請求項５６】
上記交換局システムは、ＭＳＣ／ＶＬＲ、ＳＧＳＮ／ＶＬＲ及びＰＤＳＮのうち選択された何れか一つまたは二つ以上から構成されたことを特徴とする請求項５２に記載の私設無線網統合サービスシステム。
【請求項５７】
上記呼処理管理装置は、専用位置登録／サービス制御ポイントまたはサービス制御ポイントであることを特徴とする請求項５２に記載の私設無線網統合サービスシステム。
【請求項５８】
公衆移動通信網において、
交換局システムで発信端末の呼要請を受信して私設無線網呼であるか否かを判断する段階；
上記呼が私設無線網呼である場合着信番号の私設交換機を定め、定められた私設交換機に対応する呼処理管理装置に対して位置経路を要請する段階；
上記呼処理管理装置で上記着信番号を翻訳して位置経路応答メッセージを上記交換局システムに伝送する段階；及び
上記交換局システムで上記翻訳された着信番号に該当する着信端末のトラフィック状態を確認して、通話中状態の場合上記発信端末に通話中状態を伝送し、通話中状態ではない場合には着信端末に対してページングを行う段階；を含むことを特徴とする私設無線網統合サービスシステムの呼処理方法。
【請求項５９】
上記呼処理管理装置は、
着信番号の翻訳の後、着信有線端末のトラフィック状態を確認してそれに対する位置経路応答メッセージを上記交換局システムに伝送することを特徴とする請求項５８に記載の私設無線網統合サービスシステムの呼処理方法。
【請求項６０】
上記交換局システムは、
着信番号に特殊コードが含まれた呼を私設無線網呼として認識し、
上記着信番号に含まれたＧＴコードを解釈するか、上記発信端末の加入者ＶＬＲデータベースのＷＰＢＸ Ｎｏ.を活用して着信端末の該当の私設交換機を定めることを特徴とする請求項５８に記載の私設無線網統合サービスシステムの呼処理方法。
【請求項６１】
公衆移動通信網において、
私設交換機に対する発信有線端末の呼要請時、着信有線端末に対しては上記私設交換機で通話中状態を判断して処理し、私設無線網内に存在する着信無線端末に対しては呼処理管理装置で着／発信番号変更を行う段階；
上記私設交換機で交換局システムに上記変更された番号に対応する着信無線端末に対する呼設定を要請する段階；及び
上記交換局システムで上記着信無線端末に対するトラフィック状態を確認して、通話中状態の場合私設交換機に通話中状態を伝送し、通話中状態ではない場合には着信端末に対してページングを行う段階；を含むことを特徴とする私設無線網統合サービスシステムの呼処理方法。
【請求項６２】
上記呼処理管理装置は、私設交換機側に備えられる私設位置登録装置であることを特徴とする請求項５８または請求項６１に記載の私設無線網統合サービスシステムの呼処理方法。
【請求項６３】
公衆移動通信網において、
交換局システムで発信端末の呼要請を受信して着信番号に特殊コードが含まれたことが認識された場合、公衆移動通信網のホーム位置登録機に呼設定のためのルーティング情報を要請する段階；
上記ホーム位置登録機の応答によって提供されるルーティング情報に対応する呼処理管理装置に呼設定を要請する段階；
上記呼処理管理装置で、上記呼が私設無線網の呼であるか否かを判断し、私設無線網の呼である場合着信番号を翻訳して呼設定応答メッセージを上記交換局システムに伝送する段階；
上記交換局システムで上記翻訳された着信番号に該当する着信端末のトラフィック状態を確認して上記呼処理管理装置に通話中状態を伝送する段階；及び
上記呼処理管理装置で上記着信端末の私設無線網呼の通話中状態を確認して上記交換局システムに伝送し、私設無線網呼が通話中状態ではない場合には上記交換局システムにＰＢＸルーティング情報を伝送する段階；を含むことを特徴とする私設無線網統合サービスシステムの呼処理方法。
【請求項６４】
上記ＰＢＸルーティング情報の受信時、上記交換局システムでは該当の私設交換機に対して呼設定処理を行い、上記私設交換機では着信有線端末のトラフィック状態を確認して上記交換局システムに提供することを特徴とする請求項６３に記載の私設無線網統合サービスシステムの呼処理方法。
【請求項６５】
上記呼処理管理装置は、専用位置登録／サービス制御ポイントまたはサービス制御ポイントであることを特徴とする請求項６３に記載の私設無線網統合サービスシステムの呼処理方法。
【請求項６６】
公衆移動通信網において、
私設交換機に対する発信有線端末の呼要請時、着信有線端末に対しては上記私設交換機で通話中状態を判断して処理し、私設無線網内に存在する着信無線端末に対しては私設位置登録装置で着／発信番号変更を行う段階；
上記私設交換機で交換局システムに着信無線端末に対する呼設定を要請する段階；
上記交換局システムで上記呼設定要請メッセージを専用位置登録／サービス制御ポイントに伝送する段階；
上記専用位置登録／サービス制御ポイントで、上記着信端末が私設無線網内に存在する場合上記交換局システムに呼設定応答メッセージを伝送する段階；及び
上記交換局システムで上記着信無線端末に対するトラフィック状態を確認して、通話中状態の場合私設交換機に私設無線網呼の通話中状態を伝送し、通話中状態ではない場合には着信端末に対してページングを行う段階；を含むことを特徴とする私設無線網統合サービスシステムの呼処理方法。
【請求項６７】
公衆移動通信網において、
私設交換機に対する発信有線端末の呼要請時、着信有線端末に対しては上記私設交換機で通話中状態を判断して処理し、私設無線網内に存在する着信無線端末に対しては私設位置登録装置で着／発信番号変更を行う段階；
上記私設交換機で交換局システムに着信無線端末に対する呼設定を要請する段階；
上記交換局システムでホーム位置登録機に着信呼位置の要請をし、その応答を受信する段階；
上記交換局システムで、上記着信端末が私設無線網内に存在しない場合上記私設交換機と連動して着信有線端末の呼処理を行い、上記着信端末が私設無線網内に存在する場合には着信無線端末に対するトラフィック状態を確認する段階；及び
上記着信無線端末が通話中状態の場合私設交換機に私設無線網呼の通話中状態を伝送し、通話中状態ではない場合には着信端末に対してページングを行う段階；を含むことを特徴とする私設無線網統合サービスシステムの呼処理方法。
【発明の詳細な説明】
【技術分野】
【０００１】
本発明は、私設無線網統合サービスシステム及びその呼処理方法に関するものであって、さらに詳しくは、既存の公衆移動通信網（Ｐｕｂｌｉｃ Ｌａｎｄ Ｍｏｂｉｌｅ Ｎｅｔｗｏｒｋ：ＰＬＭＮ）に対する変更を最小化しながら移動通信網、有線網及び私設無線網サービスを統合的に提供することができる私設無線網統合サービスシステム及びその呼処理方法に関する。
【背景技術】
【０００２】
私設無線網（ＷＰＢＸ：Ｗｉｒｅｌｅｓｓ ＰＡＢＸ）サービスとは、既存の私設有線網（ＰＢＸ：Ｐｒｉｖａｔｅ Ｂｒａｎｃｈ Ｅｘｃｈａｎｇｅ）サービスのように特定ビルや事業場を対象にする構内網通信サービスであって、公衆移動通信網（ＰＬＭＮ：Ｐｕｂｌｉｃ Ｌａｎｄ Ｍｏｂｉｌｅ Ｎｅｔｗｏｒｋ）との連動が可能になるように統合的にシステムが構築される場合、便利で経済的な移動通信サービスが提供できる。
【０００３】
統合私設無線網サービスのために提示された代表的な技術の例としては、韓国登録特許第３６５,７９０号（公衆用及び私設用移動通信サービスのためのシステム及び方法）が挙げられる。
【０００４】
上記特許は、移動通信網と混合された私設無線網（ＷＰＢＸ）のシステム構造を開示しており、その主要構成を纏めると図１に示したようである。
【０００５】
図１を参照すれば、ＰＬＭＮ１０、公衆電話交換網（ＰＳＴＮ：Ｐｕｂｌｉｃ Ｓｗｉｔｃｈｅｄ Ｔｅｌｅｐｈｏｎｅ Ｎｅｔｗｏｒｋ）１５及び私設（社内）ＩＰ網１６との連動のために私設無線網システム１７には、ＰＳＴＮ１５と連動するＰＢＸ１８、ＰＬＭＮ１０と連動するｐＢＳＣ（Ｐｒｉｖａｔｅ ＢＳＣ）１９及びｐＢＴＳ（Ｐｒｉｖａｔｅ ＢＴＳ）２０を備えて公衆網呼及び構内網呼に対するサービスを提供する。
【０００６】
より詳しくは、公衆網呼は、ホーム位置登録機（ＨＬＲ：Ｈｏｍｅ Ｌｏｃａｔｉｏｎ Ｒｅｇｉｓｔｅｒ）１１、交換機（ＭＳＣ：Ｍｏｂｉｌｅ Ｓｗｉｔｃｈｉｎｇ Ｃｅｎｔｅｒ）１２、基地局制御機（ＢＳＣ：Ｂａｓｅ Ｓｙｓｔｅｍ Ｃｏｎｔｒｏｌｌｅｒ）１３、基地局（ＢＴＳ：Ｂａｓｅ Ｔｒａｎｓｍｉｔｔｅｒ Ｓｙｓｔｅｍ）１４などが処理し、構内網呼は、ＰＢＸ１８、ｐＢＳＣ１９、ｐＢＴＳ２０などが処理し、これに関連して現在商用化された装備としては、ＩｎｆｏＭｏｂｉｌｅ ３Ｇ、ＩｎｆｏＭｏｂｉｌｅ‐３ＧＳなどが挙げられる。
【０００７】
しかし、上記特許の場合、公衆網呼及び構内網呼の処理を行うためにｐＢＳＣ１９装備などが必須に備えなければならず、無線網を運用するためにＢＴＳ１４の移設／再配置を行わなければならないなど、既存のＰＬＭＮ１０システムを多く変更しなければならない問題がある。
【０００８】
統合私設無線網サービス技術の他の例としては、韓国登録特許第４５４,９４５号（公衆移動通信網及び私設無線網統合サービス網とそれのためのシステム）が挙げられる。
【０００９】
上記特許は、ｐＢＳＣの機能を公衆網ＢＳＣで具現して常用の公衆移動通信網を最大限に活用することで、装備構築及び運用上の問題点を改善した統合サービス網とそのシステムを開示している。
【００１０】
図２を参照すれば、公衆網ＢＳＣには公衆呼処理モジュール３０２の他に、ｐＢＳＣ機能を提供するために、メッセージルーティングモジュール３００、私設ＨＬＲ３０８、私設呼処理モジュール３０４、私設ＭＳＣモジュール３０６などが搭載される。従って、発生した呼が公衆網呼である場合には、メッセージルーティングモジュール３００から公衆呼処理モジュール３０２にシグナリングを伝送してＭＳＣ２０２を通じた呼発信になり、私設網呼である場合には、メッセージルーティングモジュール３００を通じて私設ＨＬＲ３０８にシグナリングを伝送して認証処理をした後、私設呼処理モジュール３０４と私設ＭＳＣモジュール３０６とを通じてＰＢＸ２１２と連動することで呼発信が行われる。
【００１１】
しかし、上記特許も、商用化のためには公衆移動通信網の構造が大幅に変更されなければならない問題があり、一つのＢＳＣに多数の私設無線網を構築する場合には運用が容易ではない問題がある。
【００１２】
一方、公衆移動通信網と私設無線網サービスとを統合して提供するためには、私設無線網加入者に対する認証処理が公衆移動通信網と私設無線網に対して統合的に行われなければならない。
【００１３】
これに関連して韓国登録特許第４５０,９５０号（構内／公衆網無線パケットデータサービスを受ける移動端末機の認証方法及びその私設網システム）には、私設無線網内の無線接続網（ＲＡＮ）と端末機との間のリンク制御プロトコルを形成して認証を行うことで、外部データ網と連結される私設無線網に保安機能を提供するシステムが開示されている。
【００１４】
しかし、従来の統合私設無線網サービスはシステムの構成が複雑であるだけでなく、移動通信網と私設無線網に対する加入者認証、登録、出入り状態の把握などの管理機能を統合的に提供することができるシステムは開示されていない。
【００１５】
一方、公衆移動通信網と私設無線網サービスとを統合して提供するためには、公衆移動通信網と私設無線網の区分なく着信端末のトラフィック状態を発信端末に提供することができるシステムも備えられなければならない。
【００１６】
これに関連して韓国登録特許第５４７,７１９号（移動通信端末機の公衆網通話中の状態情報を提供することができる私設用移動通信システム及び方法）には、移動通信端末機が構内無線網（私設無線網）内で公衆網通話中である状態が構内移動通信システムが分かるようにすることで、構内無線網領域内の該当の無線端末に着信要求が来た場合通話中であることを知らせるシステムが開示されている。
【００１７】
しかし、上記特許の場合、公衆網の領域内で私設無線網通話中である移動通信端末機に対して着信呼が発生した場合には発信端末にトラフィック状態が提供できない問題がある。
【先行技術文献】
【特許文献】
【００１８】
【特許文献１】韓国登録特許第４５０,９５０号
【特許文献２】韓国登録特許第５４７,７１９号
【発明の概要】
【発明が解決しようとする課題】
【００１９】
本発明は上記のような点を考慮して創案されたものであって、既存の公衆移動通信網のＢＳＣやＢＴＳに対しては変更を加えずに、信号中継ポイント（ＳＴＰ：Ｓｉｇｎａｌ Ｔｒａｎｓｆｅｒ Ｐｏｉｎｔ）及びＭＳＣにＰＢＸを連動させて統合された私設無線網サービスが提供できる、公衆移動通信網を活用した私設無線網統合サービスシステム及びその呼処理方法を提供することに目的がある。
【００２０】
本発明の他の目的は、同期式ＣＤＭＡ網、非同期式ＷＣＤＭＡ網、今後の４Ｇ（４ｔｈ Ｇｅｎｅｒａｔｉｏｎ）など新しい移動通信網システムに全て適用可能な、公衆移動通信網を活用した私設無線網統合サービスシステム及びその呼処理方法を提供することにある。
【００２１】
本発明のまた他の目的は、信号中継ポイント（ＳＴＰ）を活用したシグナルリンクを通じて公衆移動通信網と私設無線網の管理を統合的に行うことができる、加入者統合管理のための私設無線網統合サービスシステム及びシグナリング処理方法を提供することにある。
【００２２】
本発明のさらに他の目的は、公衆移動通信網と私設無線網との区分なく着信端末のトラフィック状態を発信端末に提供することができる、トラフィック状態の管理構造が改善された私設無線網統合サービスシステム及びその呼処理方法を提供することにある。
【課題を解決するための手段】
【００２３】
上記のような目的を達成するために本発明の一側面による私設無線網統合サービスシステムは、ホーム位置登録機（ＨＬＲ）と交換局システムとの間あるいは交換局システム間の信呼処理のための信号中継ポイント；上記交換局システムに連結される私設交換機；及び着／発信番号を翻訳し上記交換局システムに提供する呼設定管理装置；を含み、上記翻訳された番号を活用して上記交換局システムが私設無線網呼処理を行うことを特徴とする。
【００２４】
本発明の他の側面によれば、ホーム位置登録機と交換局システムとの間あるいは交換局システム間の信呼処理のための信号中継ポイント；上記交換局システムに連結され連動する私設交換機；及び上記信号中継ポイントに連結され、私設無線網加入者の登録処理、公衆移動通信網及び私設無線網に対する端末の出入り状態の把握、公衆移動通信網及び私設無線網加入者ＤＢの更新処理を行う加入者管理装置；を含む私設無線網統合サービスシステムが提供される。
【００２５】
本発明のさらに他の側面によれば、ホーム位置登録機と交換局システムとの間あるいは交換局システム間の信呼処理のための信号中継ポイント；上記交換局システムに連結され連動する私設交換機；及び上記信号中継ポイントに連結され、呼要請時端末番号を翻訳し上記交換局システムに提供する呼処理管理装置；を含み、上記交換局システムは上記呼処理管理装置から着／発信端末情報を受信し、着信端末のトラフィック状態を確認して発信端末に通話中状態を伝送することを特徴とする私設無線網統合サービスシステムが提供される。
【図面の簡単な説明】
【００２６】
本明細書に添付される下記の図面は本発明の望ましい実施例を例示するものであって、発明の詳細な説明とともに本発明の技術思想をさらに理解させる役割を果たすものであるため、本発明はそのような図面に記載された事項にのみ限定されて解釈されてはいけない。
【図１】従来技術による私設無線網統合サービスシステムの構成図である。
【図２】従来技術による私設無線網統合サービスシステムの構成図である。
【図３】本発明に従って提供される私設無線網統合サービスシステムの構成図である。
【図４】本発明に従って提供される私設無線網統合サービスシステムの構成図である。
【図５】本発明に従って提供される私設無線網統合サービスシステムの構成図である。
【図６】本発明に従って提供される私設無線網統合サービスシステムの構成図である。
【図７】図３の私設無線網統合サービスシステムによって行われる呼処理手続き図である。
【図８】図３の私設無線網統合サービスシステムによって行われる呼処理手続き図である。
【図９】図４の私設無線網統合サービスシステムによって行われる呼処理手続き図である。
【図１０】図４の私設無線網統合サービスシステムによって行われる呼処理手続き図である。
【図１１】図５の私設無線網統合サービスシステムによって行われる呼処理手続き図である。
【図１２】図５の私設無線網統合サービスシステムによって行われる呼処理手続き図である。
【図１３】図５の私設無線網統合サービスシステムによって行われる呼処理手続き図である。
【図１４】図５の私設無線網統合サービスシステムによって行われる呼処理手続き図である。
【図１５】本発明に従って行われる加入者登録シグナリング処理手続き図である。
【図１６】本発明に従って行われる加入者登録シグナリング処理手続き図である。
【図１７】本発明に従って行われる加入者登録シグナリング処理手続き図である。
【図１８】本発明に従って提供される同期式ＣＤＭＡ網での端末位置登録方法を概略的に示す構成図である。
【図１９】本発明に従って提供される同期式ＣＤＭＡ網での端末位置登録方法を概略的に示す構成図である。
【図２０】本発明に従って提供される同期式ＣＤＭＡ網での端末位置登録方法を概略的に示す構成図である。
【図２１】本発明に従って行われる同期式ＣＤＭＡ網での端末位置登録シグナリング処理方法を示す手続き図である。
【図２２】本発明に従って行われる同期式ＣＤＭＡ網での端末位置登録シグナリング処理方法を示す手続き図である。
【図２３】本発明に従って行われる同期式ＣＤＭＡ網での端末位置登録シグナリング処理方法の他の例を示す手続き図である。
【図２４】本発明に従って提供される非同期式ＷＣＤＭＡ網での端末位置登録方法を概略的に示す構成図である。
【図２５】本発明に従って提供される非同期式ＷＣＤＭＡ網での端末位置登録方法を概略的に示す構成図である。
【図２６】本発明に従って行われる非同期式ＷＣＤＭＡ網での端末位置登録シグナリング処理方法を示す手続き図である。
【図２７】本発明に従って行われる非同期式ＷＣＤＭＡ網での端末位置登録シグナリング処理方法を示す手続き図である。
【図２８】本発明に従って行われる非同期式ＷＣＤＭＡ網での端末位置登録シグナリング処理方法を示す手続き図である。
【図２９】ＧＭＭメッセージのＬＳＡパラメータの構造図である。
【図３０】図６の私設無線網統合サービスシステムによって行われる呼処理手続き図である。
【図３１】図６の私設無線網統合サービスシステムによって行われる呼処理手続き図である。
【図３２】図４の私設無線網統合サービスシステムによって行われる呼処理手続き図である。
【図３３】図４の私設無線網統合サービスシステムによって行われる呼処理手続き図である。
【図３４】図５の私設無線網統合サービスシステムによって行われる呼処理手続き図である。
【図３５】図５の私設無線網統合サービスシステムによって行われる呼処理手続き図である。
【発明を実施するための形態】
【００２７】
以下、添付した図面を参照ながら本発明の望ましい実施例を詳しく説明する。これに先立って、本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。従って、本明細書に記載された実施例は本発明の最も望ましい一実施例に過ぎず、本発明の技術的思想の全てを代弁するものではないため、本出願時点においてこれらに代替できる多様な均等物と変形例があり得ることを理解しなければならない。
【００２８】
図３は、本発明の第１実施例による私設無線網統合サービスシステムの構成図である。
【００２９】
図３を参照すれば、本発明の第１実施例による私設無線網統合サービスシステムは、公衆移動通信網（ＰＬＭＮ）の交換局システム１０３に連結される私設交換機（ＰＢＸ）１０７、交換局システム１０３に対して呼処理のための情報を提供するように私設交換機（ＰＢＸ）１０７側に備えられた呼設定管理装置である私設位置登録装置（ＰＢＸ‐ＨＬＲ／ＶＬＲ）１０８を含む。以下、図面において、点線はシグナルリンク（Ｓｉｇｎａｌ ｌｉｎｋ）を示し、太い実線はトランクリンク（Ｔｒｕｎｋ ｌｉｎｋ）を示す。
【００３０】
公衆移動通信網（ＰＬＭＮ）は、移動局（ＭＳ）に対して同期式ＣＤＭＡ（Ｃｏｄｅ Ｄｉｖｉｓｉｏｎ Ｍｕｌｔｉｐｌｅ Ａｃｃｅｓｓ）あるいは非同期式ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）方式の移動通信サービスを提供するためのものであって、公知のようにホーム位置登録機（ＨＬＲ）１００と、上記ホーム位置登録機（ＨＬＲ）１００に連結された多数の交換局システム１０３と、上記交換局システム１０３に連結された多数の基地局制御機（ＢＳＣあるいはＲＡＮ）１０４と、上記基地局制御機（ＢＳＣあるいはＲＡＮ）１０４に連結された多数の基地局（ＢＴＳあるいはＮｏｄｅ Ｂ）１０５と、信号交換のための信号中継ポイント（ＳＴＰ）１０２を備える。
【００３１】
信号中継ポイント（ＳＴＰ）１０２は、ホーム位置登録機（ＨＬＲ）１００と交換局システム１０３との間あるいは交換局システム１０３間のＮｏ.７信号をルーティングする中継交換機の役割をする。信号中継ポイント（ＳＴＰ）１０２には位置登録処理のための専用位置登録機（ＸＬＲ）１０１が連結できる。
【００３２】
交換局システム１０３は、２Ｇ及び３Ｇの主音声呼処理を行うシステム及び加入者ＤＢであるＭＳＣ／ＶＬＲや、３Ｇでデータ処理を行うシステム及び加入者ＤＢであるＳＧＳＮ／ＶＬＲ、あるいは２Ｇでデータ処理を行うシステムであるＰＤＳＮから構成される。以下、ＭＳＣ／ＶＬＲ形態の交換局システム１０３と私設交換機（ＰＢＸ）１０７が連動する場合を中心にして本発明を説明する。
【００３３】
交換局システム１０３には私設無線網呼の発生時これが認識できるように私設無線網呼の局番を解釈するための要素が含まれる。たとえ図面には示していないが、交換局システム１０３には私設交換機（ＰＢＸ）１０７ごとに付与されるＧＴ（Ｇｌｏｂａｌ Ｔｉｔｌｅ）コードを貯蔵するＧＴデータベース（ＧＴＤＢ）と、私設網加入者を区分することができる識別子（ＷＰＢＸ Ｓｅｒｖｉｃｅ Ｉｎｄｉｃａｔｏｒ、ＷＰＢＸ Ｉｎ／Ｏｕｔ Ｉｎｄｉｃａｔｏｒ、ＷＰＢＸ Ｎｏ.、ＷＰＢＸ基地局情報など）が加えられた加入者情報を貯蔵する加入者ＶＬＲデータベースが備えられ、着信番号を解釈して特殊コードが含まれた場合を私設無線網呼として認識する一方、着信番号に含まれたＧＴコードを解釈して該当の私設交換機（ＰＢＸ）１０７を区分する処理を行う。
【００３４】
私設無線網呼の場合、着信番号は、例えば、「＃ＮＮＮＮ‐ＭＭＭＭ」のように特殊コード（＃）＋ＧＴコード（ＮＮＮＮ）＋番号（ＭＭＭＭ）の形態から構成される。
【００３５】
より望ましくは、私設無線網呼の着信番号は、例えば、「＃ＭＭＭＭ」のように特殊コード（＃）＋番号（ＭＭＭＭ）の形態から構成される。私設交換機（ＰＢＸ）の区分のためのＧＴコードの分析は発信端末の加入者ＶＬＲデータベースに含まれている情報を活用して行うことができる。このように特殊コード（＃）＋番号（ＭＭＭＭ）の形態で着信番号を指定する場合サービス加入者の番号入力作業を簡素化することができる。
【００３６】
ここで、特殊コード「＃」は、交換局システム１０３が私設無線網呼であるか否かを認識できるように付与されるコードであって、「＊」、「＃＊」などに替えることも可能であり、その他にも多様な変形例があり得る。
【００３７】
着信端末がＣＮＩＰ（Ｃａｌｌｉｎｇ Ｎｕｍｂｅｒ Ｉｄｅｎｔｉｆｉｃａｔｉｏｎ Ｐｒｅｓｅｎｔａｔｉｏｎ）サービスを受ける端末の場合、上記特殊コードを発信番号に付加して着信端末に伝送すれば着信端末に対して私設無線網呼の着信を知らせることができる便利性がある。例えば、発信端末番号がＫＫＫＫあるいはＮＮＮＮ‐ＫＫＫＫの場合、着信端末に着信され表示される番号は＃ＫＫＫＫあるいは＃ＮＮＮＮ‐ＫＫＫＫになるように呼処理ができる。
【００３８】
私設交換機（ＰＢＸ）１０７は、交換局システム１０３とＰＳＴＮ１０９とにリンクされて上記交換局システム１０３が私設無線網呼を処理することができるように連動する。
【００３９】
私設位置登録装置（ＰＢＸ‐ＨＬＲ／ＶＬＲ）１０８は、私設交換機（ＰＢＸ）１０７とともに私設無線網（ＷＰＢＸ）を形成し、交換局システム１０３の要請に応答して着／発信番号の翻訳情報を上記交換局システム１０３に提供して私設無線網呼に対する処理が行われるようにする。
【００４０】
私設位置登録装置（ＰＢＸ‐ＨＬＲ／ＶＬＲ）１０８は、信号中継ポイント（ＳＴＰ）１０２にリンクされてＮｏ.７シグナリング（Ｓｉｇｎａｌｉｎｇ）を行い、私設無線網の加入者登録（移動通信番号と有線番号とのマッチング、付加サービスなど）、加入者位置情報の管理などを行うＨＬＲ機能と、訪問者位置登録を行うＶＬＲ機能を提供する。
【００４１】
図４は、本発明の第２実施例による私設無線網統合サービスシステムの構成図である。
【００４２】
図４を参照すれば、本発明の第２実施例による私設無線網統合サービスシステムは、公衆移動通信網（ＰＬＭＮ）の交換局システム１０３に連結される私設交換機（ＰＢＸ）１０７と、公衆移動通信網（ＰＬＭＮ）の信号中継ポイント（ＳＴＰ）１０２に連結され呼設定管理装置の役割を担当する専用位置登録／サービス制御ポイント（ＸＬＲ‐ＳＣＰ）１１０と、公衆移動通信網（ＰＬＭＮ）のホーム位置登録機（ＨＬＲ）１００及び専用位置登録／サービス制御ポイント（ＸＬＲ‐ＳＣＰ）１１０と連動する加入者登録装置１１４を含む。
【００４３】
信号中継ポイント（ＳＴＰ）１０２にはＳＭＳＣ（Ｓｈｏｒｔ Ｍｅｓｓａｇｅ Ｓｅｒｖｉｃｅ Ｃｅｎｔｅｒ）１１２がさらにリンクできる。また、専用位置登録／サービス制御ポイント（ＸＬＲ‐ＳＣＰ）１１０とＳＭＳＣ１１２にはインターネット１１１を介して加入者ＤＢ管理企業型ＳＭＳＣ１１３が連結されることも可能である。
【００４４】
専用位置登録／サービス制御ポイント（ＸＬＲ‐ＳＣＰ）１１０は、交換局システム１０３に対して呼処理のための情報を提供する。すなわち、専用位置登録／サービス制御ポイント（ＸＬＲ‐ＳＣＰ）１１０は交換局システム１０３の要請に応答して着／発信番号の翻訳情報を交換局システム１０３に提供して私設無線網呼に対する処理が行われるようにする。このために、専用位置登録／サービス制御ポイント（ＸＬＲ‐ＳＣＰ）１１０は交換局システム１０３からルーティングされた着信番号に含まれたＧＴコードを解釈して該当の私設交換機（ＰＢＸ）を区分する。代案として、専用位置登録／サービス制御ポイント（ＸＬＲ‐ＳＣＰ）１１０は交換局システム１０３からルーティングされた発信番号を活用して着信番号の該当の私設交換機（ＰＢＸ）を区分することができる。
【００４５】
専用位置登録／サービス制御ポイント（ＸＬＲ‐ＳＣＰ）１１０は信号中継ポイント（ＳＴＰ）１０２にリンクされてＮｏ.７シグナリングを行い、専用位置登録及び加入者認証処理と、知能網呼処理などを行う。
【００４６】
交換局システム１０３は、着信番号に前述した特殊コードが含まれたことを認識して公衆移動通信網（ＰＬＭＮ）のホーム位置登録機（ＨＬＲ）１００に呼設定のためのルーティング情報を要請し、ホーム位置登録機（ＨＬＲ）１００から提供されるルーティング情報に対応する専用位置登録／サービス制御ポイント（ＸＬＲ‐ＳＣＰ）１１０に呼設定を要請する。また、交換局システム１０３は専用位置登録／サービス制御ポイント（ＸＬＲ‐ＳＣＰ）１１０によって翻訳された着信番号を受信し、公衆移動通信網（ＰＬＭＮ）のみを活用するか該当の私設交換機（ＰＢＸ）１０７と連動することで呼処理を行う。
【００４７】
図５は、本発明の第３実施例による私設無線網統合サービスシステムの構成図である。
【００４８】
図５を参照すれば、本発明の第３実施例による私設無線網統合サービスシステムは、公衆移動通信網（ＰＬＭＮ）の交換局システム１０３に連結される私設交換機（ＰＢＸ）１０７と、公衆移動通信網（ＰＬＭＮ）の信号中継ポイント（ＳＴＰ）１０２に連結され呼設定管理装置の役割を担当するサービス制御ポイント（ＳＣＰ）１１５と、公衆移動通信網（ＰＬＭＮ）のホーム位置登録機（ＨＬＲ）１００と連動する加入者登録装置１１４を含む。
【００４９】
信号中継ポイント（ＳＴＰ）１０２にはＳＭＳＣ（Ｓｈｏｒｔ Ｍｅｓｓａｇｅ Ｓｅｒｖｉｃｅ Ｃｅｎｔｅｒ）１１２がさらにリンクできる。また、ＳＭＳＣ１１２にはインターネット１１１を介してＳＭＳウェッブクライアント（Ｗｅｂ ｃｌｉｅｎｔ）１１６が連結されることも可能である。
【００５０】
サービス制御ポイント（ＳＣＰ）１１５は、交換局システム１０３に対して呼処理のための情報を提供する。すなわち、サービス制御ポイント（ＳＣＰ）１１５は交換局システム１０３の要請に応答して着／発信番号の翻訳情報を上記交換局システム１０３に提供して私設無線網呼に対する処理が行われるようにする。このために、サービス制御ポイント（ＳＣＰ）は交換局システム１０３からルーティングされた着信番号に含まれたＧＴコードを解釈して該当のＰＢＸを区分する。また、サービス制御ポイント（ＳＣＰ）１１５は交換局システム１０３からルーティングされた発信番号を活用して着信番号の該当の私設交換機（ＰＢＸ）を区分することができる。
【００５１】
サービス制御ポイント（ＳＣＰ）１１５は信号中継ポイント（ＳＴＰ）１０２にリンクされてＮｏ.７シグナリングを行い、データベースの検索、経路指定情報翻訳などのサービス制御機能を提供する。
【００５２】
交換局システム１０３は、着信番号に前述した特殊コードが含まれたことを認識して公衆移動通信網（ＰＬＭＮ）のホーム位置登録機（ＨＬＲ）１００に呼設定のためのルーティング情報を要請し、ホーム位置登録機（ＨＬＲ）１００から提供されるルーティング情報に対応するサービス制御ポイント（ＳＣＰ）１１５に呼設定を要請する。また、交換局システム１０３はサービス制御ポイント（ＳＣＰ）１１５によって翻訳された着信番号を受信し、公衆移動通信網（ＰＬＭＮ）のみを活用するか該当の私設交換機（ＰＢＸ）１０７と連動することで呼処理を行う。
【００５３】
上述のような私設無線網統合サービスシステムには、ＨＬＲ加入者ＤＢ、ＶＬＲ加入者ＤＢ、ＳＣＰ加入者ＤＢ、ＰＢＸ ＨＬＲ／ＶＬＲ加入者ＤＢなどが構築されなければならない。ここで、ＨＬＲ加入者ＤＢ、ＶＬＲ加入者ＤＢ及びＳＣＰ加入者ＤＢには、ＥＳＮ、ＩＭＳＩ、Ｓｅｒｉａｌ Ｎｏ、ＷＰＢＸ Ｓｅｒｖｉｃｅ Ｉｎｄｉｃａｔｏｒ、ＷＰＢＸ Ｉｎ／Ｏｕｔ Ｉｎｄｉｃａｔｏｒ、ＷＰＢＸ Ｎｏ. 、ＷＰＢＸ基地局情報、有線電話Ｉｎｄｉｃａｔｏｒ、カメラ制御Ｉｎｄｉｃａｔｏｒ、私設無線網データ接続Ｉｎｄｉｃａｔｏｒなどのデータ要素が含まれることが望ましい。また、ＰＢＸ ＨＬＲ／ＶＬＲ加入者ＤＢには、ＩＭＳＩ、Ｓｅｒｉａｌ Ｎｏ.、ＷＰＢＸ Ｉｎ／Ｏｕｔ Ｉｎｄｉｃａｔｏｒ、ＷＰＢＸ Ｎｏ.、ＷＰＢＸ基地局情報、有線電話Ｉｎｄｉｃａｔｏｒ、カメラ制御Ｉｎｄｉｃａｔｏｒ、私設無線網データ接続Ｉｎｄｉｃａｔｏｒなどのデータ要素が含まれることが望ましい。
【００５４】
以下、本発明に従って行われる呼処理手続きを説明する。
【００５５】
まず、図７及び図８には、本発明の第１実施例による私設無線網統合サービスシステムによって行われる呼処理手続きが示されている。
【００５６】
呼処理手続きにおいて、着信番号の番号体系は特殊コード（＃）＋ＧＴコード（ＮＮＮＮ）＋番号（ＭＭＭＭ）から構成される場合システムを具現するにおいては便利であるが、加入者が入力しなければならない番号が多くて使用が不便なので特殊コード（＃）＋番号（ＭＭＭＭ）から構成される例を中心にして説明する。
【００５７】
図７を参照すれば、発信端末の発信（発信番号：０１０‐１１１１‐２２２２、着信番号：＃３３３３）によって無線システム（ＢＳＳあるいはＲＡＮ）１０６から交換局システム１０３に呼要請が受信されれば（段階Ｓ１００及びＳ１０２）、交換局システム１０３は着信番号の特殊コードを確認して私設無線網呼であるか否かを判断する（段階Ｓ１０４）。
【００５８】
判断結果、私設無線網呼を示す特殊コード「＃」が存在しない場合、交換局システム１０３は公衆移動通信網（ＰＬＭＮ）のみを活用した通常の公衆網呼処理を行い（段階Ｓ１０６）、特殊コード「＃」を認識した場合には加入者ＶＬＲデータベースを検索して発信端末が私設無線網（ＷＰＢＸ）の領域内に位置するか否かを確認する（段階Ｓ１０８）。
【００５９】
加入者ＶＬＲデータベースの検索結果、発信端末が私設無線網（ＷＰＢＸ）地域内に存在しないと判断された場合、交換局システム１０３は呼を解除する（段階Ｓ１１０）。
【００６０】
一方、発信端末が私設無線網（ＷＰＢＸ）の地域内に存在する無線端末（ＭＳ）１であると判断された場合、交換局システム１０３は発信側加入者ＶＬＲデータベースでＷＰＢＸ Ｎｏ.を確認して着信端末機の私設交換機（ＰＢＸ）１０７を定め（段階Ｓ１１２）、該当の私設交換機（ＰＢＸ）１０７に対応する私設位置登録装置（ＰＢＸ‐ＨＬＲ／ＶＬＲ）１０８に着／発信番号に対する位置経路情報を要請する（段階Ｓ１１４）。
【００６１】
私設位置登録装置（ＰＢＸ‐ＨＬＲ／ＶＬＲ）１０８は、上記位置経路の要請に応じて番号翻訳を行う（Ｃａｌｌｉｎｇ：０１０‐１１１１‐２２２２⇒２２２２、Ｃａｌｌｅｄ：＃３３３３⇒０１０‐１１１１‐３３３３）（段階Ｓ１１６）。
【００６２】
また、私設位置登録装置（ＰＢＸ‐ＨＬＲ／ＶＬＲ）１０８は、加入者データベースを検索して番号翻訳された着信端末が私設無線網（ＷＰＢＸ）の領域内にあるか否かを確認する（段階Ｓ１１８）。
【００６３】
着信端末が私設無線網（ＷＰＢＸ）の領域内にある無線端末（ＭＳ）２である場合、私設位置登録装置（ＰＢＸ‐ＨＬＲ／ＶＬＲ）１０８は交換局システム１０３に位置経路応答メッセージ［Ｃａｌｌｉｎｇ：＃２２２２、Ｃａｌｌｅｄ：０１０‐１１１１‐３３３３］を伝送する（段階Ｓ１２０）。
【００６４】
交換局システム１０３は、着信番号に対応する該当の無線端末（ＭＳ）２にページング（Ｐａｇｉｎｇ）を行い（段階Ｓ１２２）、私設無線網内に位置した発信端末と着信端末は公衆移動通信網（ＰＬＭＮ）を通じて通話を行う（段階Ｓ１２４）。
【００６５】
一方、着信端末が私設無線網（ＷＰＢＸ）の領域内に存在しない有線端末３である場合、私設位置登録装置（ＰＢＸ‐ＨＬＲ／ＶＬＲ）１０８は交換局システム１０３にルーティング情報（ＰＢＸ Ｎｏ.）が含まれた位置経路応答メッセージを伝送する（段階Ｓ１２６）。
【００６６】
位置経路応答メッセージ［ルーティング情報：ＰＢＸ Ｎｏ.］を受信した交換局システム１０３は、該当の私設交換機（ＰＢＸ）１０７に呼設定メッセージ［ＩＳＵＰ処理］を伝送する（段階Ｓ１２８）。
【００６７】
私設交換機（ＰＢＸ）１０７は、着信端末に呼設定を要請し（段階Ｓ１３０）、私設無線網（ＷＰＢＸ）内に位置した発信端末１と外部の着信端末は交換局システム１０３と私設交換機（ＰＢＸ）１０７との間の専用線を通じて通話を行う（段階Ｓ１３２）。
【００６８】
本発明の第１実施例においてＭＡＰ（Ｍｏｂｉｌｅ Ａｐｐｌｉｃａｔｉｏｎ Ｐａｒｔ）メッセージ処理は、交換局システム１０３と私設位置登録装置（ＰＢＸ‐ＨＬＲ／ＶＬＲ）１０８との間に行われる。
【００６９】
図８には、発信端末が有線端末３である場合の呼処理手続きが示されている。
【００７０】
図８を参照すれば、発信端末が私設交換機（ＰＢＸ）１０７に呼を要請したとき（Ｃａｌｌｉｎｇ：３３３３、Ｃａｌｌｅｄ：２２２２）（段階Ｓ２００）、私設位置登録装置（ＰＢＸ‐ＨＬＲ／ＶＬＲ）１０８は番号翻訳を行う（Ｃａｌｌｉｎｇ：３３３３⇒＃３３３３、Ｃａｌｌｅｄ：２２２２⇒０１０‐１１１１‐１１１１）（段階Ｓ２０２）。
【００７１】
以後、私設位置登録装置（ＰＢＸ‐ＨＬＲ／ＶＬＲ）１０８は、着信端末が私設無線網（ＷＰＢＸ）内に存在するかを判断する（段階Ｓ２０４）。
【００７２】
判断結果、着信端末が私設無線網（ＷＰＢＸ）内に存在しない場合、私設交換機（ＰＢＸ）１０７は着信番号に該当する有線端末４に呼設定を要請し（段階Ｓ２０６）、これによって私設無線網（ＷＰＢＸ）内の発信有線端末と着信有線端末との間に通話が行われる（段階Ｓ２０８）。
【００７３】
一方、着信端末が私設無線網内に存在する場合、私設交換機（ＰＢＸ）１０７はＩＳＵＰ（ＩＳＤＮ Ｕｓｅｒ Ｐａｒｔ）プロトコルを通じて交換局システム１０３に呼設定を要請する（段階Ｓ２１０）。
【００７４】
交換局システム１０３は、着信呼が私設無線網呼であることを認識して該当の着信無線端末１にページングを行い（段階Ｓ２１２）、これによって私設無線網（ＷＰＢＸ）内に位置した発信有線端末３と着信無線端末１との間に通話が行われる（段階Ｓ２１４）。
【００７５】
図９及び図１０には、本発明の第２実施例による私設無線網統合サービスシステムによって行われる呼処理手続きが示されている。
【００７６】
まず、図９を参照すれば、発信端末の発信（発信番号：０１０‐１１１１‐２２２２、着信番号：＃３３３３）によって無線システム（ＢＳＳあるいはＲＡＮ）１０６から交換局システム１０３に呼要請が受信されれば（段階Ｓ３００及びＳ３０２）、交換局システム１０３は着信番号に含まれた特殊コード「＃」を認識して知能網呼のような処理のためにホーム位置登録機（ＨＬＲ）１００に呼設定を要請する（Ｃａｌｌｉｎｇ：０１０‐１１１１‐２２２２、Ｃａｌｌｅｄ：＃３３３３、基地局情報）（段階Ｓ３０４）。
【００７７】
ホーム位置登録機（ＨＬＲ）１００は、該当の専用位置登録／サービス制御ポイント（ＸＬＲ‐ＳＣＰ）１１０のルーティング情報が含まれた呼設定応答メッセージを交換局システム１０３に伝送する（段階Ｓ３０６）。
【００７８】
呼設定応答メッセージを受信した交換局システム１０３は、該当の専用位置登録／サービス制御ポイント（ＸＬＲ‐ＳＣＰ）１１０に呼設定を要請する（Ｃａｌｌｉｎｇ：０１０‐１１１１‐２２２２、Ｃａｌｌｅｄ：＃３３３３、基地局情報）（段階Ｓ３０８）。
【００７９】
専用位置登録／サービス制御ポイント（ＸＬＲ‐ＳＣＰ）１１０では設定要請された呼が私設無線網の呼であるか否かを判断して（段階Ｓ３１０）、私設無線網呼ではない場合には公衆網呼など他の呼処理が行われるように交換局システム１０３に応答し（段階Ｓ３１２）、私設無線網呼である場合には発信端末が私設無線網（ＷＰＢＸ）の領域内に存在するか否かを確認する（段階Ｓ３１４）。
【００８０】
確認結果、発信端末が私設無線網（ＷＰＢＸ）の領域内に存在しない場合、専用位置登録／サービス制御ポイント（ＸＬＲ‐ＳＣＰ）１１０は呼解除（段階Ｓ３１８）のための応答メッセージを交換局システム１０３に伝送する（段階Ｓ３１６）。
【００８１】
発信端末が私設無線網（ＷＰＢＸ）の領域内に存在する無線端末（ＭＳ）１の場合専用位置登録／サービス制御ポイント（ＸＬＲ‐ＳＣＰ）１１０は着信端末の番号を翻訳し、着信端末が私設無線網（ＷＰＢＸ）の領域内にあるか否かを判断する（段階Ｓ３２０）。ここで、専用位置登録／サービス制御ポイント（ＸＬＲ‐ＳＣＰ）１１０は着信端末の番号翻訳を行うために発信端末の私設無線網（ＷＰＢＸ Ｎｏ.）を確認し、この私設無線網（ＷＰＢＸ Ｎｏ.）の加入者データベースで着信番号（３３３３）に対応する無線端末番号（０１０‐１１１１‐３３３３）を探す。このときデータベースの検索を速く行うように基地局情報を活用することができる。
【００８２】
着信端末が私設無線網（ＷＰＢＸ）の領域内に存在すると判断された場合、専用位置登録／サービス制御ポイント（ＸＬＲ‐ＳＣＰ）１１０は交換局システム１０３に呼設定応答［Ｃａｌｌｉｎｇ：＃２２２２、Ｃａｌｌｅｄ：０１０‐１１１１‐３３３３］を伝送する（段階Ｓ３２２）。
【００８３】
上記呼設定応答メッセージを受信した交換局システム１０３は、該当の呼の発信及び着信番号を変更して該当の着信無線端末２にページングを行い（段階Ｓ３２４）、これによって私設無線網（ＷＰＢＸ）に位置した発信無線端末１と着信無線端末２との間に通話が行われる（段階Ｓ３２６）。
【００８４】
一方、着信端末が私設無線網（ＷＰＢＸ）の領域内に存在しないと判断された場合、専用位置登録／サービス制御ポイント（ＸＬＲ‐ＳＣＰ）１１０はルーティング情報（ＰＢＸ Ｎｏ.）を含む呼設定応答メッセージを交換局システム１０３に伝送する（段階Ｓ３２８）。
【００８５】
上記呼設定応答メッセージを受信した交換局システム１０３は、該当の私設交換機（ＰＢＸ）１０７に呼設定メッセージ［ＩＳＵＰ処理］を伝送する（段階Ｓ３３０）。私設交換機（ＰＢＸ）１０７では該当の有線端末３に呼設定を要請し（段階Ｓ３３２）、これによって私設無線網（ＷＰＢＸ）に位置した発信無線端末１と私設無線網外部の着信有線端末３との間に通話が行われる（段階Ｓ３３４）。
【００８６】
図１０には、発信端末が有線端末３である場合の呼処理手続きが示されている。
【００８７】
図１０を参照すれば、発信端末が私設交換機（ＰＢＸ）１０７に呼を要請したとき（Ｃａｌｌｉｎｇ：３３３３、Ｃａｌｌｅｄ：２２２２）（段階Ｓ４００）、私設交換機（ＰＢＸ）１０７は番号変更を行う（Ｃａｌｌｉｎｇ：３３３３⇒＃３３３３、Ｃａｌｌｅｄ：２２２２⇒０１０‐１１１１‐２２２２）（段階Ｓ４０２）。
【００８８】
以後、私設交換機（ＰＢＸ）１０７は交換局システム１０３にＩＳＵＰプロトコルを通じて呼設定（Ｃａｌｌｉｎｇ：＃３３３３、Ｃａｌｌｅｄ：０１０‐１１１１‐２２２２、ＰＢＸ Ｎｏ.）を要請し（段階Ｓ４０４）、交換局システム１０３は専用位置登録／サービス制御ポイント（ＸＬＲ‐ＳＣＰ）１１０に呼設定（Ｃａｌｌｉｎｇ：＃３３３３、Ｃａｌｌｅｄ：０１０‐１１１１‐２２２２、ＰＢＸ Ｎｏ.）を要請する（段階Ｓ４０６）。
【００８９】
専用位置登録／サービス制御ポイント（ＸＬＲ‐ＳＣＰ）１１０は該当のＰＢＸ Ｎｏ.の加入者データベースを検索して着信端末が私設無線網（ＷＰＢＸ）内に存在するか否かを判断する（段階Ｓ４０８）。
【００９０】
判断結果、着信端末が私設無線網（ＷＰＢＸ）の領域内に存在すると確認された場合、専用位置登録／サービス制御ポイント（ＸＬＲ‐ＳＣＰ）１１０は交換局システム１０３に呼設定応答（Ｃａｌｌｉｎｇ：＃３３３３、Ｃａｌｌｅｄ：０１０‐１１１１‐２２２２）を伝送する（段階Ｓ４１０）。
【００９１】
交換局システム１０３は受信された応答メッセージに応じて該当の着信無線端末１にページングを行い（段階Ｓ４１２）、これによって私設無線網（ＰＢＸ）に位置した発信有線端末３と着信無線端末１との間に通話が行われる（段階Ｓ４１４）。
【００９２】
一方、着信端末が私設無線網（ＷＰＢＸ）の領域内に存在しない場合、専用位置登録／サービス制御ポイント（ＸＬＲ‐ＳＣＰ）１１０はルーティング情報（ＰＢＸ Ｎｏ.）が含まれた呼設定応答メッセージを交換局システム１０３に伝送する（段階Ｓ４１６）。
【００９３】
交換局システム１０３は、受信された応答メッセージに応じて私設交換機（ＰＢＸ）１０７に呼設定を要請し（段階Ｓ４１８）、これによって私設交換機（ＰＢＸ）１０７が有線端末４に呼要請をして私設無線網（ＷＰＢＸ）に位置した発信有線端末３と外部の着信有線端末４との間に通話が行われる（段階Ｓ４２０及びＳ４２２）。
【００９４】
本発明の第２実施例においてＭＡＰあるいはＣＡＰ（ＣＡＭＥＬ Ａｐｐｌｉｃａｔｉｏｎ Ｐａｒｔ）メッセージの処理は、交換局システム１０３と専用位置登録／サービス制御ポイント（ＸＬＲ‐ＳＣＰ）１１０との間に行われる。
【００９５】
図１１には、本発明の第３実施例による私設無線網統合サービスシステムによって行われる音声呼処理手続きが示されている。
【００９６】
図１１を参照すれば、発信端末の発信（発信番号：０１０‐１１１１‐２２２２、着信番号：＃３３３３）によって無線システム（ＢＳＳあるいはＲＡＮ）１０６から交換局システム１０３に呼要請が受信されれば（段階Ｓ５００及びＳ５０２）、交換局システム１０３は着信番号に含まれた特殊コード「＃」を認識して知能網呼のような処理のためにホーム位置登録機（ＨＬＲ）１００に呼設定を要請する（Ｃａｌｌｉｎｇ：０１０‐１１１１‐２２２２、Ｃａｌｌｅｄ：＃３３３３、ＷＰＢＸ Ｎｏ.）（段階Ｓ５０４）。
【００９７】
ホーム位置登録機（ＨＬＲ）１００は、該当のサービス制御ポイント（ＳＣＰ）１１５のルーティング情報が含まれた呼設定応答メッセージを交換局システム１０３に伝送する（段階Ｓ５０６）。
【００９８】
呼設定応答メッセージを受信した交換局システム１０３は該当のサービス制御ポイント（ＳＣＰ）１１５に呼設定を要請する（Ｃａｌｌｉｎｇ：０１０‐１１１１‐２２２２、Ｃａｌｌｅｄ：＃３３３３、基地局情報）（段階Ｓ５０８）。
【００９９】
サービス制御ポイント（ＳＣＰ）１１５では設定要請された呼が私設無線網の呼であるか否かを判断して（段階Ｓ５１０）、私設無線網呼ではない場合には公衆網呼など他の呼処理が行われるように交換局システム１０３に応答し（段階Ｓ５１２）、私設無線網呼である場合には発信端末が私設無線網（ＷＰＢＸ）の領域内に存在するか否かを確認する（段階Ｓ５１４）。
【０１００】
確認結果、発信端末が私設無線網（ＷＰＢＸ）の領域内に存在しない場合、サービス制御ポイント（ＳＣＰ）１１５は呼解除（段階Ｓ５１８）のための応答メッセージを交換局システム１０３に伝送する（段階Ｓ５１６）。
【０１０１】
発信端末が私設無線網（ＷＰＢＸ）の領域内に存在する無線端末（ＭＳ）１である場合、サービス制御ポイント（ＳＣＰ）１１５は番号を変更し（Ｃａｌｌｉｎｇ：０１０‐１１１１‐２２２２⇒＃２２２２、Ｃａｌｌｅｄ：＃３３３３⇒０１０‐１１１１‐３３３３）（段階Ｓ５２０）、着信端末位置照会メッセージをホーム位置登録機（ＨＬＲ）１００に伝送する（段階Ｓ５２２）。
【０１０２】
ホーム位置登録機（ＨＬＲ）１００は、また交換局システム１０３に着信端末位置照会メッセージを伝送し（段階Ｓ５２４）、それに対応する着信端末位置応答メッセージ（基地局情報）が受信されたとき（段階Ｓ５２６）、これをサービス制御ポイント（ＳＣＰ）１１５に伝送する（段階Ｓ５２８）。
【０１０３】
サービス制御ポイント（ＳＣＰ）１１５は着信端末が私設無線網（ＷＰＢＸ）の領域内にあるか否かを判断する（段階Ｓ５３０）。
【０１０４】
着信端末が私設無線網（ＷＰＢＸ）の領域内に存在すると判断された場合、サービス制御ポイント（ＳＣＰ）１１５は交換局システム１０３に呼設定応答［Ｏｒｉｇ：＃２２２２、Ｃａｌｌｅｄ：０１０‐１１１１‐３３３３］を伝送する（段階Ｓ５３２）。
【０１０５】
上記呼設定応答メッセージを受信した交換局システム１０３は、該当の呼の発信及び着信番号を変更して該当の着信無線端末２にページングを行い（段階Ｓ５３４）、これによって私設無線網（ＷＰＢＸ）に位置した発信無線端末１と着信無線端末２との間に通話が行われる（段階Ｓ５３６）。
【０１０６】
一方、着信端末が私設無線網（ＷＰＢＸ）の領域内に存在しないと判断された場合、サービス制御ポイント（ＳＣＰ）１１５はルーティング情報（ＰＢＸ Ｎｏ.）を含む呼設定応答メッセージを交換局システム１０３に伝送する（段階Ｓ５３８）。
上記呼設定応答メッセージを受信した交換局システム１０３は、該当の私設交換機（ＰＢＸ）１０７に呼設定のためのＩＳＵＰ処理（Ｃａｌｌｉｎｇ：０１０‐１１１１‐２２２２、Ｃａｌｌｅｄ：＃３３３３）メッセージを伝送する（段階Ｓ５４０）。私設交換機（ＰＢＸ）１０７では該当の有線端末３に呼設定を要請し（段階Ｓ５４２）、これによって私設無線網（ＷＰＢＸ）に位置した発信無線端末１と私設無線網外部の着信有線端末３との間に通話が行われる（段階Ｓ５４４）。
【０１０７】
上記呼処理手続きにおいて、私設交換機（ＰＢＸ）１０７が連動状態ではない場合には上記段階Ｓ５３８ないしＳ５４４を行わずに呼を解除しなければならない。
【０１０８】
図１２には、発信端末が有線端末３であり、私設交換機（ＰＢＸ）１０７が連動される私設無線網での音声呼処理手続きが示されている。
【０１０９】
図１２を参照すれば、発信端末が私設交換機（ＰＢＸ）１０７に呼を要請したとき（Ｃａｌｌｉｎｇ：３３３３、Ｃａｌｌｅｄ：２２２２）（段階Ｓ６００）、私設交換機（ＰＢＸ）１０７は番号変更を行う（Ｃａｌｌｉｎｇ：３３３３⇒＃３３３３、Ｃａｌｌｅｄ：２２２２⇒０１０‐１１１１‐２２２２）（段階Ｓ６０２）。
【０１１０】
私設交換機（ＰＢＸ）１０７は、交換局システム１０３にＩＳＵＰプロトコルを通じて呼設定（Ｃａｌｌｉｎｇ：＃３３３３、Ｃａｌｌｅｄ：０１０‐１１１１‐２２２２、ＷＰＢＸ Ｎｏ.）を要請し（段階Ｓ６０４）、交換局システム１０３はホーム位置登録機（ＨＬＲ）とのメッセージ交換を通じてＳＣＰルーティング情報を獲得する（段階Ｓ６０６及びＳ６０８）。
【０１１１】
以後、交換局システム１０３は、サービス制御ポイント（ＳＣＰ）１１５に呼設定（Ｃａｌｌｉｎｇ：＃３３３３、Ｃａｌｌｅｄ：０１０‐１１１１‐２２２２、基地局情報）を要請する（段階Ｓ６１０）。
【０１１２】
サービス制御ポイント（ＳＣＰ）１１５は着信呼が私設無線網の呼であるか否かを判断したとき（段階Ｓ６１２）、私設無線網呼ではない場合には他の呼処理を行い（段階Ｓ６１４）、私設無線網呼である場合には該当のＰＢＸ Ｎｏ.の加入者データベースを検索して着信端末が私設無線網（ＷＰＢＸ）内に存在するか否かを判断する（段階Ｓ６１６）。
【０１１３】
判断結果、着信端末が私設無線網（ＷＰＢＸ）の領域内に存在すると確認された場合、サービス制御ポイント（ＳＣＰ）１１５は交換局システム１０３に呼設定応答（Ｃａｌｌｉｎｇ：＃３３３３、Ｃａｌｌｅｄ：０１０‐１１１１‐２２２２）を伝送する（段階Ｓ６１８）。
【０１１４】
交換局システム１０３は受信された応答メッセージに応じて該当の着信無線端末１にページングを行い（段階Ｓ６２０）、これによって私設無線網（ＰＢＸ）に位置した発信有線端末３と着信無線端末１との間に通話が行われる（段階Ｓ６２２）。
【０１１５】
一方、着信端末が私設無線網（ＷＰＢＸ）の領域内に存在しない場合、サービス制御ポイント（ＳＣＰ）１１５はルーティング情報（ＰＢＸ Ｎｏ.）が含まれた呼設定応答メッセージを交換局システム１０３に伝送する（段階Ｓ６２４）。
【０１１６】
交換局システム１０３は、受信された応答メッセージに応じて私設交換機（ＰＢＸ）１０７に呼設定を要請し（段階Ｓ６２６）、これによって私設交換機（ＰＢＸ）１０７が有線端末４に呼要請をして私設無線網（ＷＰＢＸ）に位置した発信有線端末３と外部の着信有線端末４との間に通話が行われる（段階Ｓ６２８及びＳ６３０）。
【０１１７】
本発明の第３実施例においてＭＡＰあるいはＣＡＰメッセージの処理は、交換局システム１０３とサービス制御ポイント（ＳＣＰ）１１５及びホーム位置登録機（ＨＬＲ）の間に行われる。
【０１１８】
図１３には、本発明の第３実施例による私設無線網統合サービスシステムによって行われる、同一の私設無線網の地域内の無線端末間のＳＭＳ呼処理手続きが示されている。
【０１１９】
図１３を参照すれば、まず、発信無線端末１とＳＧＳＮ形態の交換局システム１０３との間にＳＭＳ伝送のための呼セットアップが行われた状態で（段階Ｓ７００）、発信無線端末１から交換局システム１０３に伝送されたＳＭＳメッセージ要請（発信番号：０１０‐１１１１‐２２２２、着信番号：＃＊３３３３、メッセージ、基地局情報）によって交換局システム１０３はサービス制御ポイント（ＳＣＰ）１１５にＳＭＳ呼設定を要請する（段階Ｓ７０２及びＳ７０４）。このとき交換局システム１０３は着信番号に含まれた特殊コード「＃＊」を通じて該当の呼が私設無線網ＳＭＳ発信であることを認識しＳＭＳ呼設定を要請する。
【０１２０】
サービス制御ポイント（ＳＣＰ）１１５は、私設無線網ＳＭＳ呼であるか否かを判断して私設無線網ＳＭＳ呼ではない場合には一般呼処理を行い（段階Ｓ７０６及びＳ７０８）、発信無線端末１が私設無線網の地域内に存在するか否かを判断して該当の私設無線網の地域内に発信無線端末１が存在しない場合には呼解除手続きを行う（段階Ｓ７１０及びＳ７１２）。このときサービス制御ポイント（ＳＣＰ）１１５は、Ｉｎｉｔｉａｌ ＤＰ（Ｄｅｔｅｃｔｉｏｎ Ｐｏｉｎｔ）ＳＭＳの発信基地局情報を活用して発信端末の存在可否を判断する。
【０１２１】
次いで、サービス制御ポイント（ＳＣＰ）１１５は、着信番号に対応する着信端末が存在するか否かを判断する（段階Ｓ７１４）。判断結果、該当の着信端末が存在しない場合には呼解除手続きを行い（段階Ｓ７１６）、着信端末が存在する場合にはホーム位置登録機（ＨＬＲ）１００に着信端末の位置情報を要請する（段階Ｓ７１８）。
ホーム位置登録機（ＨＬＲ）１００では交換局システム１０３に着信端末の位置情報を要請し（段階Ｓ７２０）、それに応答して交換局システム１０３から提供される着信端末位置情報を受信する（段階Ｓ７２２）。以後、ホーム位置登録機（ＨＬＲ）１００は着信端末の基地局情報が含まれた位置情報応答メッセージをサービス制御ポイント（ＳＣＰ）１１５に伝送する（段階Ｓ７２４）。
【０１２２】
サービス制御ポイント（ＳＣＰ）１１５は、位置情報応答メッセージを受信した後着信端末が私設無線網の地域内に存在するか否かを判断する（段階Ｓ７２６）。判断結果、該当の私設無線網の地域内に着信端末が存在しない場合には呼解除手続きを行い（段階Ｓ７２８）、着信端末が存在する場合にはＳＭＳ連結応答を交換局システム１０３に伝送する（段階Ｓ７３０）。
【０１２３】
ＳＭＳ連結応答を受信した交換局システム１０３は、ＳＭＳＣ１１２にＳＭＳ伝送のためのメッセージ（着信番号：０１０‐１１１１‐３３３３、メッセージ、発信／着信端末の私設無線網に存在可否）を伝達し（段階Ｓ７３２）、ＳＭＳＣ１１２はＳＭＳ伝送処理を行った後正常処理を知らせるＡＣＫメッセージを交換局システム１０３に伝送する（段階Ｓ７３４）。
【０１２４】
交換局システム１０３は、ＡＣＫメッセージを受信した後ＳＭＳ伝送応答を発信無線端末１に伝送し（段階Ｓ７３６）、以後発信無線端末１と交換局システム１０３との間のＳＭＳ呼は解除される（段階Ｓ７３８）。
【０１２５】
図１４には、本発明の第３実施例による私設無線網統合サービスシステムによって行われる、私設無線イントラネットに対するデータ接続呼処理手続きが示されている。
【０１２６】
図１４を参照すれば、まず、発信無線端末１とＳＧＳＮ形態の交換局システム１０３との間に呼セットアップが行われた状態で（段階Ｓ８００）、発信無線端末１が交換局システム１０３にデータ呼の活性化要請をすれば（段階Ｓ８０２）、交換局システム１０３は発信端末が該当の私設無線網に存在するか否かを判断してＧＧＳＮ１１７にデータ呼生成を要請する（段階Ｓ８０４及びＳ８０６）。
【０１２７】
ＧＧＳＮ１１７は、上記データ呼の生成要請に応じて交換局システム１０３にデータ呼生成応答メッセージを伝送する（段階Ｓ８０８）。また、ＧＧＳＮ１１７は課金装置１１８にデータ呼の課金要請をし、その応答メッセージを受信する（段階Ｓ８１０及びＳ８１２）。
【０１２８】
データ呼生成応答メッセージを受信した交換局システム１０３は、発信無線端末１とＲＡＢ割り当てを行った後（段階Ｓ８１４）、発信無線端末１にデータ呼活性化応答メッセージを伝送する（段階Ｓ８１６）。
【０１２９】
上述のような過程が完了された後、発信無線端末１は交換局システム１０３及びＧＧＳＮ１１７を経由して該当の私設無線網イントラネット１１９に接続してデータ呼を処理する（段階Ｓ８１８）。このとき発信無線端末１は私設無線網イントラネット固有の受信ＩＰ（Ｄｅｓｔｉｎａｔｉｏｎ ＩＰ）に接続する。
【０１３０】
図１５ないし図１７は、本発明の他の側面に従って行われる加入者登録シグナリング処理手続きを示した図面である。
【０１３１】
まず、図１５に示した加入者登録シグナリング処理手続きを行うための図６の私設無線網統合サービスシステムは以下のような構成を持つ。
【０１３２】
加入者登録シグナリング処理のために、私設無線網統合サービスシステムは公衆移動通信網（ＰＬＭＮ）の交換局システム１０３に連結される私設交換機（ＰＢＸ）１０７と、交換局システム１０３に対してシグナリング処理のための情報を提供するように私設交換機（ＰＢＸ）１０７側に備えられた私設位置登録装置（ＰＢＸ‐ＨＬＲ／ＶＬＲ）１０８と、公衆移動通信網（ＰＬＭＮ）の信号中継ポイント（ＳＴＰ）１０２と、信号中継ポイント（ＳＴＰ）１０２に連結される加入者管理装置である専用位置登録／サービス制御ポイント（ＸＬＲ‐ＳＣＰ）１１０とを含む。
【０１３３】
交換局システム１０３は、２Ｇ及び３Ｇの主音声シグナリング処理を行うシステム及び加入者ＤＢであるＭＳＣ／ＶＬＲや、３Ｇでデータ処理を行うシステム及び加入者ＤＢであるＳＧＳＮ／ＶＬＲ、あるいは２Ｇでデータ処理を行うシステムであるＰＤＳＮから構成される。以下、ＭＳＣ／ＶＬＲ形態の交換局システム１０３と私設交換機（ＰＢＸ）１０７とが連動する場合を中心にして本発明を説明する。
【０１３４】
また、交換局システム１０３には私設無線網呼の発生時これが認識できるように私設無線網呼の局番を解釈するための要素が含まれる。たとえ図面には示されていないが、交換局システム１０３には私設交換機（ＰＢＸ）１０７ごとに付与されるＧＴコードを貯蔵するＧＴデータベース（ＧＴＤＢ）と、私設網加入者を区分することができる識別子（ＷＰＢＸ Ｓｅｒｖｉｃｅ ＩＮＤ、ＷＰＢＸ Ｉｎ／Ｏｕｔ ＩＮＤ、ＷＰＢＸ ＩＤ、ＷＰＢＸ基地局情報など）が加えられた加入者情報を貯蔵する加入者ＶＬＲデータベースと、着信番号を解釈して特殊コードが含まれた場合を私設無線網呼として認識し、着信番号に含まれたＧＴコードを解釈して該当の私設交換機（ＰＢＸ）１０７を区分するコード確認部が備えられる。
【０１３５】
私設交換機（ＰＢＸ）１０７は、交換局システム１０３とＰＳＴＮ１０９とにリンクされて上記交換局システム１０３が私設無線網呼を処理することができるように連動する。
私設位置登録装置（ＰＢＸ‐ＨＬＲ／ＶＬＲ）１０８は、私設交換機（ＰＢＸ）１０７とともに私設無線網（ＷＰＢＸ）を形成し、交換局システム１０３の要請に応答して着／発信番号の翻訳情報を上記交換局システム１０３に提供して私設無線網呼に対する処理が行われるようにする。
【０１３６】
私設位置登録装置（ＰＢＸ‐ＨＬＲ／ＶＬＲ）１０８は、信号中継ポイント（ＳＴＰ）１０２にリンクされてＮｏ.７シグナリングを行い、私設無線網の加入者登録（移動通信番号と有線番号のマッチング、付加サービスなど）、加入者位置情報の管理などを行うＨＬＲ機能と、訪問者位置登録を行うＶＬＲ機能を提供する。
【０１３７】
信号中継ポイント（ＳＴＰ）１０２は、公衆移動通信網（ＰＬＭＮ）のホーム位置登録機（ＨＬＲ）１００と交換局システム１０３との間あるいは交換局システム１０３間のＮｏ.７信号をルーティングする中継交換機の役割をする。
【０１３８】
専用位置登録／サービス制御ポイント（ＸＬＲ‐ＳＣＰ）１１０は、信号中継ポイント（ＳＴＰ）１０２に連結されて、私設無線網加入者の登録処理と、公衆移動通信網（ＰＬＭＮ）及び私設無線網に対する端末の出入り状態の把握と、公衆移動通信網（ＰＬＭＮ）及び私設無線網加入者ＤＢの更新処理を行う。
【０１３９】
専用位置登録／サービス制御ポイント（ＸＬＲ‐ＳＣＰ）１１０には、私設無線網に割り当てられた固有識別子であるＷＰＢＸ ＩＤと、システム種類あるいは規格（２Ｇ、３Ｇ、４Ｇなど）を示すＳＰＥＣと、登録された移動通信番号であるＩＭＳＩと、有線電話の有無ＩＮＤと、私設無線網で割り当てられた固有番号と、移動通信番号と対応する有線番号と、移動通信端末の一連番号であるＳｅｒｉａｌ Ｎｏ.と、上記ＩＭＳＩ及びＳｅｒｉａｌ Ｎｏ.を活用してホーム位置登録機（ＨＬＲ）１００から獲得される私設無線網加入者が属した交換機識別子であるＭＳＣ ＩＤと、移動通信端末のＥＳＮと、私設無線網サービス認識子であるＷＰＢＸ Ｓｅｒｖｉｃｅ ＩＮＤと、私設無線網の出入を制御するためのＷＰＢＸ Ｉｎ／Ｏｕｔ ＩＮＤと、基地局識別子あるいはサブセル区分であるＣｅｌｌ ＩＤと、私設無線網の地域内でのカメラＯｎ／Ｏｆｆ制御のためのカメラ制御ＩＮＤと、私設無線網の地域内での映像電話可能／不可能制御のための映像電話制御ＩＮＤと、私設無線網の地域内でデータ接続を制御するためのデータ接続ＩＮＤなどの基本パラメータがＤＢとして構築される。このようなパラメータはホーム位置登録機（ＨＬＲ）１００の加入者ＤＢとの連動を通じて獲得される。
【０１４０】
移動通信端末の移動状態を把握するため、専用位置登録／サービス制御ポイント（ＸＬＲ‐ＳＣＰ）１１０は、端末位置登録メッセージの受信時ＬＡＩ（Ｌｏｃａｔｉｏｎ Ａｒｅａ ＩＤ）に含まれた基地局情報とその加入者ＤＢの基地局情報とを比較して、端末が私設無線網に移動したかあるいは公衆移動通信網に移動したかを判断するように構成できる。
【０１４１】
公衆移動通信網（ＰＬＭＮ）が同期式ＣＤＭＡ網である場合、Ｂａｓｅ ＩＤの特定ビット状態の変化（０⇔１）ごとにＷＰＢＸ位置登録が行われ、専用位置登録／サービス制御ポイント（ＸＬＲ‐ＳＣＰ）１１０は、位置登録要請メッセージに含まれた基地局情報を通じて端末が私設無線網に移動したかあるいは公衆移動通信網（ＰＬＭＮ）に移動したかを判断するように構成できる。
【０１４２】
また、公衆移動通信網（ＰＬＭＮ）が同期式ＣＤＭＡ網である場合、端末に貯蔵されたＵｓｅｒ Ｚｏｎｅと上記公衆移動通信網から伝送したＵｓｅｒ Ｚｏｎｅが同一あるいは異なるように変更された時点でＵｓｅｒ Ｚｏｎｅ位置登録が行われ、上記専用位置登録／サービス制御ポイント（ＸＬＲ‐ＳＣＰ）１１０は、位置登録要請メッセージに含まれた基地局情報を通じて端末が私設無線網に移動したかあるいは公衆移動通信網（ＰＬＭＮ）に移動したかを判断するように構成できる。
【０１４３】
代案として、公衆移動通信網（ＰＬＭＮ）が同期式ＣＤＭＡ網である場合、公衆移動通信網（ＰＬＭＮ）のＺｏｎｅ ｎｕｍｂｅｒと私設無線網のＺｏｎｅ ｎｕｍｂｅｒとが異なるように設定されて上記Ｚｏｎｅ ｎｕｍｂｅｒの変更ごとにＷＰＢＸ位置登録が行われ、専用位置登録／サービス制御ポイント（ＸＬＲ‐ＳＣＰ）１１０は、位置登録要請メッセージに含まれた基地局情報を通じて端末が私設無線網に移動したかあるいは公衆移動通信網（ＰＬＭＮ）に移動したかを判断するように構成できる。
【０１４４】
一方、公衆移動通信網（ＰＬＭＮ）が非同期式ＷＣＤＭＡ網である場合、オーバーヘッドチャンネルで放送されるＳＩＢ（Ｓｙｓｔｅｍ Ｉｎｆｏｒｍａｔｉｏｎ Ｂｌｏｃｋ）ｔｙｐｅ ３／４のメッセージに含まれたＣｅｌｌ ＩＤの特定ビット状態の変化ごとにＷＰＢＸ位置登録が行われ、専用位置登録／サービス制御ポイント（ＸＬＲ‐ＳＣＰ）１１０は、位置登録要請メッセージに含まれた基地局情報を通じて端末が私設無線網に移動したかあるいは公衆移動通信網（ＰＬＭＮ）に移動したかを判断するように構成できる。
【０１４５】
また、公衆移動通信網が同期式ＣＤＭＡ網あるいは非同期式ＷＣＤＭＡ網である場合、公衆移動通信網と私設無線網とのＬＡＩが相異に設定されてＬＡＩの変更ごとにＷＰＢＸ位置登録が行われ、上記専用位置登録／サービス制御ポイント（ＸＬＲ‐ＳＣＰ）は、位置登録要請メッセージに含まれた基地局情報を通じて端末が私設無線網に移動したかあるいは公衆移動通信網に移動したかを判断するように構成することもできる。
【０１４６】
図１５に示した加入者登録シグナリング処理手続きを参照すれば、私設網運用事業者が所定の登録ターミナルを用いて、加入者のＳＰＥＣ、ＩＭＳＩ、私設無線網番号、有線電話の有無ＩＮＤ、有線電話番号、Ｓｅｒｉａｌ Ｎｏ.、カメラ制御ＩＮＤ、映像電話制御ＩＮＤ、データ接続ＩＮＤ、登録あるいは削除などを入力したとき（段階Ｔ１０）、私設位置登録装置（ＰＢＸ‐ＨＬＲ／ＶＬＲ）１０８は、入力情報を専用位置登録／サービス制御ポイント（ＸＬＲ‐ＳＣＰ）１１０に伝送して私設無線網加入者登録要請をする（段階Ｔ１１）。ここで、私設網運用事業者側では端末機のＥＳＮが分からないのでＳｅｒｉａｌ Ｎｏ.を伝送して登録認証を行う。
【０１４７】
専用位置登録／サービス制御ポイント（ＸＬＲ‐ＳＣＰ）１１０ではＩＭＳＩ及びＳｅｒｉａｌ Ｎｏ.を通じて該当の端末を認証し、ＭＳＣ ＩＤ、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ、データ接続ＩＮＤなどのパラメータが含まれた私設無線網加入者登録要請メッセージを公衆移動通信網（ＰＬＭＮ）のホーム位置登録機（ＨＬＲ）１００に伝送する（段階Ｔ１２）。
【０１４８】
ホーム位置登録機（ＨＬＲ）１００は、該当の加入者のＤＢに対して私設無線網加入フラッグ（Ｆｌａｇ）をオン（Ｏｎ）させた後（段階Ｔ１３）、私設無線網登録応答メッセージを専用位置登録／サービス制御ポイント（ＸＬＲ‐ＳＣＰ）１１０に伝送して処理結果を伝達する（段階Ｔ１４）。
【０１４９】
専用位置登録／サービス制御ポイント（ＸＬＲ‐ＳＣＰ）１１０は、ＭＳＣ ＩＤ、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ、データ接続ＩＮＤなどのパラメータを含むＤＢを構成し（段階Ｔ１５）、該当の私設位置登録装置（ＰＢＸ‐ＨＬＲ／ＶＬＲ）１０８に加入者登録応答メッセージを伝送する（段階Ｔ１６）。
【０１５０】
私設位置登録装置（ＰＢＸ‐ＨＬＲ／ＶＬＲ）１０８は、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ、データ接続ＩＮＤなどのパラメータを含む加入者ＤＢを構成する（段階Ｔ１７）。
【０１５１】
図１６に示した加入者登録シグナリング処理手続きを行うための図４の私設無線網統合サービスシステムは以下のような構成を持つ。
【０１５２】
加入者登録シグナリング処理のために、私設無線網統合サービスシステムは、公衆移動通信網（ＰＬＭＮ）の交換局システム１０３に連結される私設交換機（ＰＢＸ）１０７と、公衆移動通信網（ＰＬＭＮ）の信号中継ポイント（ＳＴＰ）１０２と、信号中継ポイント（ＳＴＰ）１０２に連結された専用位置登録／サービス制御ポイント（ＸＬＲ‐ＳＣＰ）１１０と、公衆移動通信網（ＰＬＭＮ）のホーム位置登録機（ＨＬＲ）１００及び専用位置登録／サービス制御ポイント（ＸＬＲ‐ＳＣＰ）１１０と連動する加入者登録装置１１４を含む。
【０１５３】
専用位置登録／サービス制御ポイント（ＸＬＲ‐ＳＣＰ）１１０は、前述のように、私設無線網加入者の登録処理と、公衆移動通信網（ＰＬＭＮ）及び私設無線網に対する端末の出入り状態の把握と、公衆移動通信網（ＰＬＭＮ）及び私設無線網加入者ＤＢの更新処理を行う。
【０１５４】
また、専用位置登録／サービス制御ポイント（ＸＬＲ‐ＳＣＰ）１１０は、交換局システム１０３の要請に応答して着／発信番号の翻訳情報を上記交換局システム１０３に提供して私設無線網呼に対する処理が行われるようにする。このために、専用位置登録／サービス制御ポイント（ＸＬＲ‐ＳＣＰ）１１０は、交換局システム１０３からルーティングされた着信番号に含まれたＧＴコードを解釈して該当の私設交換機（ＰＢＸ）を区分する。また、専用位置登録／サービス制御ポイント（ＸＬＲ‐ＳＣＰ）１１０は、交換局システム１０３からルーティングされた発信番号を活用して着信番号の該当の私設交換機（ＰＢＸ）を区分することができる。
【０１５５】
専用位置登録／サービス制御ポイント（ＸＬＲ‐ＳＣＰ）１１０は、信号中継ポイント（ＳＴＰ）１０２にリンクされてＮｏ.７シグナリングを行い、専用位置登録及び加入者認証処理と、知能網シグナリング処理などを行う。
【０１５６】
交換局システム１０３は、着信番号に前述した特殊コードが含まれたことを認識して公衆移動通信網（ＰＬＭＮ）のホーム位置登録機（ＨＬＲ）１００に呼設定のためのルーティング情報を要請し、ホーム位置登録機（ＨＬＲ）１００から提供されるルーティング情報に対応する専用位置登録／サービス制御ポイント（ＸＬＲ‐ＳＣＰ）１１０に呼設定を要請する。また、交換局システム１０３は専用位置登録／サービス制御ポイント（ＸＬＲ‐ＳＣＰ）１１０によって翻訳された着信番号を受信し、公衆移動通信網（ＰＬＭＮ）のみを活用するか該当の私設交換機（ＰＢＸ）１０７と連動することでシグナリング処理を行う。
【０１５７】
図１６に示した加入者登録シグナリング処理手続きを参照すれば、移動通信網運用事業者が所定の加入者登録装置１１４を用いて加入者のＳＰＥＣ、ＩＭＳＩ、Ｓｅｒｉａｌ Ｎｏ.、登録あるいは削除、有線番号、ＰＢＸ Ｎｏ.などのパラメータを入力したとき（段階Ｔ２０）、加入者登録装置１１４は専用位置登録／サービス制御ポイント（ＸＬＲ‐ＳＣＰ）１１０に対して上記パラメータが含まれた私設無線網加入者登録要請メッセージを伝送する（段階Ｔ２１）。
【０１５８】
専用位置登録／サービス制御ポイント（ＸＬＲ‐ＳＣＰ）１１０では公衆移動通信網（ＰＬＭＮ）のホーム位置登録機（ＨＬＲ）１００と加入者登録／削除を一致させるために私設無線網加入者登録要請をホーム位置登録機（ＨＬＲ）１００に伝送する（段階Ｔ２２）。
【０１５９】
ホーム位置登録機（ＨＬＲ）１００は該当の加入者のＤＢで私設無線網加入フラッグをオンさせた後（段階Ｔ２３）、私設無線網登録応答メッセージを専用位置登録／サービス制御ポイント（ＸＬＲ‐ＳＣＰ）１１０に伝送して処理結果を伝達する（段階Ｔ２４）。
【０１６０】
専用位置登録／サービス制御ポイント（ＸＬＲ‐ＳＣＰ）１１０は、ＭＳＣ ＩＤ、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ、データ接続ＩＮＤなどのパラメータを含むＤＢを構成し（段階Ｔ２５）、該当の加入者登録装置１１４に加入者登録応答メッセージを伝送する（段階Ｔ２６）。
【０１６１】
図１７に示した加入者登録シグナリング処理手続きを行うための図５の私設無線網統合サービスシステムは以下のような構成を持つ。
【０１６２】
加入者登録シグナリング処理手続きのために、私設無線網統合サービスシステムは、公衆移動通信網（ＰＬＭＮ）の交換局システム１０３に連結される私設交換機（ＰＢＸ）１０７と、公衆移動通信網（ＰＬＭＮ）の信号中継ポイント（ＳＴＰ）１０２と、信号中継ポイント（ＳＴＰ）１０２に連結されて加入者管理装置の機能を提供するホーム位置登録機１００及びサービス制御ポイント（ＳＣＰ）１１５と、ホーム位置登録機（ＨＬＲ）１００と連動する加入者登録装置１１４を含む。
【０１６３】
ホーム位置登録機１００及びサービス制御ポイント（ＳＣＰ）１１５は、前述した専用位置登録／サービス制御ポイント（ＸＬＲ‐ＳＣＰ）１１０のように、私設無線網加入者の登録処理と、公衆移動通信網（ＰＬＭＮ）及び私設無線網に対する端末の出入り状態の把握と、公衆移動通信網（ＰＬＭＮ）及び私設無線網加入者ＤＢの更新処理を行う。
【０１６４】
ここで、サービス制御ポイント（ＳＣＰ）１１５は、交換局システム１０３に対してシグナリング処理のための情報を提供する。すなわち、サービス制御ポイント（ＳＣＰ）１１５は、交換局システム１０３の要請に応答して着／発信番号の翻訳情報を上記交換局システム１０３に提供して私設無線網呼に対する処理が行われるようにする。このため、サービス制御ポイント（ＳＣＰ）は、交換局システム１０３からルーティングされた着信番号に含まれたＧＴコードを解釈して該当のＰＢＸを区分する。また、サービス制御ポイント（ＳＣＰ）１１５は、交換局システム１０３からルーティングされた発信番号を活用して着信番号の該当の私設交換機（ＰＢＸ）を区分することができる。
【０１６５】
上記サービス制御ポイント（ＳＣＰ）１１５は信号中継ポイント（ＳＴＰ）１０２にリンクされてＮｏ.７シグナリングを行い、データベースの検索、経路指定情報翻訳などのサービス制御機能を提供する。
【０１６６】
交換局システム１０３は、着信番号に前述した特殊コードが含まれたことを認識して公衆移動通信網（ＰＬＭＮ）のホーム位置登録機（ＨＬＲ）１００に呼設定のためのルーティング情報を要請し、ホーム位置登録機（ＨＬＲ）１００から提供されるルーティング情報に対応するサービス制御ポイント（ＳＣＰ）１１５に呼設定を要請する。また、交換局システム１０３は、サービス制御ポイント（ＳＣＰ）１１５によって翻訳された着信番号を受信し、公衆移動通信網（ＰＬＭＮ）を活用するか該当の私設交換機（ＰＢＸ）１０７と連動することでシグナリング処理を行う。
【０１６７】
上述のような私設無線網統合サービスシステムには、ＨＬＲ加入者ＤＢ、ＶＬＲ加入者ＤＢ、ＳＣＰ加入者ＤＢ、ＰＢＸ ＨＬＲ／ＶＬＲ加入者ＤＢなどが構築されるべきである。ここで、ＨＬＲ加入者ＤＢ、ＶＬＲ加入者ＤＢ及びＳＣＰ加入者ＤＢには、ＭＳＣ ＩＤ、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ、データ接続ＩＮＤなどのデータ要素が含まれることが望ましい。また、ＰＢＸ ＨＬＲ／ＶＬＲ加入者ＤＢには、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、データ接続ＩＮＤなどのデータ要素が含まれることが望ましい。
【０１６８】
図１７に示した加入者登録シグナリング処理手続きを参照すれば、移動通信網運用事業者が所定の加入者登録装置１１４を用いて加入者のＩＭＳＩ、Ｓｅｒｉａｌ Ｎｏ.、登録あるいは削除、有線番号、ＰＢＸ Ｎｏ.私設無線網付加サービスなどのパラメータを入力したとき（段階Ｔ３０）、加入者登録装置１１４は、私設無線網加入者登録要請を公衆移動通信網（ＰＬＭＮ）のホーム位置登録機（ＨＬＲ）１００に伝送する（段階Ｔ３１）。
【０１６９】
ホーム位置登録機（ＨＬＲ）１００は、ＭＳＣ ＩＤ、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、映像電話制御ＩＮＤ、データ接続ＩＮＤなどのパラメータを含む該当の加入者のＤＢを生成し（段階Ｔ３２）、以後該当の加入者登録装置１１４に加入者登録応答メッセージを伝送する（段階Ｔ３３）。
【０１７０】
図１８ないし図２０は、本発明に従って提供される同期式ＣＤＭＡ網での端末位置登録方法を概略的に示す構成図である。
【０１７１】
図１８を参照すれば、移動端末（ＭＳ）がＢａｓｅ ＩＤ（１６ビット）の中でＭＳＢ ３番目のビットが０である地域から１である地域に移動時、ＷＢＰＸ位置登録が行われて私設無線網に移動したことを把握することになり、また移動端末（ＭＳ）がＢａｓｅ ＩＤが０である地域に移動時、ＷＰＢＸ位置登録が行われて公衆移動通信網に移動したことを把握することができる。
【０１７２】
図１９を参照すれば、移動端末（ＭＳ）がＵｓｅｒ Ｚｏｎｅ ＩＮＤ＝０である移動通信網からＵＳＥＲ ＺＯＮＥ ＩＮＤ＝１、Ｕｓｅｒ Ｚｏｎｅ＝ＮＮＮＮである網に移動時、移動端末（ＭＳ）に貯蔵されたＵｓｅｒ Ｚｏｎｅと一致する場合位置登録が発生される。また、位置登録の以後にまた移動端末（ＭＳ）が移動してＵｓｅｒ Ｚｏｎｅ ＩＮＤ＝０である地域あるいはＵＳＥＲ ＺＯＮＥ ＩＮＤ＝１でありながらＵｓｅｒ Ｚｏｎｅ≠ＮＮＮＮである地域に移動時、Ｕｓｅｒ Ｚｏｎｅ位置登録が行われて移動端末（ＭＳ）の位置状態が把握できる。
【０１７３】
図２０を参照すれば、移動端末（ＭＳ）がＲＥＧ ＺＯＮＥ≠ＮＮ及びＴＯＴＡＬ ＺＯＮＥ＝１である地域からＲＥＧ ＺＯＮＥ＝ＮＮ及びＴＯＴＡＬ ＺＯＮＥ＝１である地域に移動時、Ｚｏｎｅ Ｂａｓｅｄ位置登録が行われて、反対方向に進む場合にもＺｏｎｅ Ｂａｓｅｄ位置登録を行うことで端末位置状態が把握できる。
【０１７４】
図２１には、本発明に従って行われる同期式ＣＤＭＡ網での端末位置登録シグナリング処理手続きが示されている。
【０１７５】
図２１を参照すれば、移動端末（ＭＳ）１は、上述のような位置登録条件（ＷＰＢＸ、Ｕｓｅｒ ＺｏｎｅあるいはＺｏｎｅ Ｂａｓｅｄ位置登録）が満足されたとき位置登録（Ｒｅｇｉｓｔｒａｔｉｏｎ）を要請する（段階Ｔ１００）。このとき、位置登録方法は上述した三種類の方法の他にＰｏｗｅｒ Ｏｎ／Ｄｏｗｎ位置登録も採用できる。
無線システム（ＢＳＳ）１０６は、交換局システム１０３に位置登録（Ｒｅｇｉｓｔｒａｔｉｏｎ）要請を伝送し（段階Ｔ１０２）、交換局システム１０３は、専用位置登録／サービス制御ポイント（ＸＬＲ‐ＳＣＰ）１１０にＲＥＧＮＯＴ Ｉｎｖｏｋｅを伝送する（段階Ｔ１０４）。ここで、ＲＥＧＮＯＴには、ＭＩＮ、ＥＳＮ、ＭＳＣ ＩＤ、ＱＵＡＬＣＯＤＥ（Ｑｕａｌｉｆｉｃａｔｉｏｎ Ｉｎｆｏｒｍａｔｉｏｎ Ｃｏｄｅ）、ＭＹＴＹＰＥ（Ｓｙｓｔｅｍ Ｍｙ Ｔｙｐｅ Ｃｏｄｅ）、ＬＡＩ、ＳＹＳＡＣＣＴＹＰＥ（Ｓｙｓｔｅｍ Ａｃｃｅｓｓ Ｔｙｐｅ）などのパラメータが含まれる。
【０１７６】
次いで、専用位置登録／サービス制御ポイント（ＸＬＲ‐ＳＣＰ）１１０は、交換局システム１０３にｒｅｇｎｏｔ応答を伝送し（段階Ｔ１０６）、交換局システム１０３は該当の無線システム（ＢＳＳ）１０６に位置応答メッセージ（ＲｅｇｉＡｃｃｅｐｔ）を伝送する（段階Ｔ１０８）。このとき私設無線網の出入可否及びその他付加サービス（移動端末のカメラ制御、データ接続制御など）情報も共に伝送されることが望ましい。
無線システム（ＢＳＳ）１０６は、該当の端末に位置応答メッセージ（ＲｅｇｉＡｃｃｅｐｔ）を伝送する（段階Ｔ１１０）。
【０１７７】
一方、専用位置登録／サービス制御ポイント（ＸＬＲ‐ＳＣＰ）１１０はＲＥＧＮＯＴに含まれたパラメータを参照したとき、端末が公衆移動通信網（ＰＬＭＮ）から私設無線網に、あるいは私設無線網から公衆移動通信網（ＰＬＭＮ）に移動したと判断された場合、私設無線網ＤＢの更新のためのＱＵＡＬＤＩＲ Ｉｎｖｏｋｅを交換局システム１０３に伝送する（段階Ｔ１１２）。ここで、ＱＵＡＬＤＩＲメッセージには、ＭＩＮ、ＥＳＮ、ＱＵＡＬＣＯＤＥ、ＭＹＴＹＰＥなどの主要パラメータが含まれる。
交換局システム１０３は、受信されたＱＵＡＬＣＯＤＥを用いてＶＬＲ加入者の私設無線網関連ＤＢを更新し、専用位置登録／サービス制御ポイント（ＸＬＲ‐ＳＣＰ）１１０にｑｕａｌｄｉｒ応答メッセージを伝送する（段階Ｔ１１４）。
【０１７８】
また、私設無線網の出入可否及びその他制御状態を端末に伝送するための他の方法として、交換局システム１０３はＶＬＲ加入者ＤＢで私設無線網に関連したＤＢ値が変更されるとき、Ｆｅａｔｕｒｅ Ｎｏｔｉｆｉｃａｔｉｏｎメッセージを無線システム（ＢＳＳ）１０６に伝送する（段階Ｔ１１６）。
【０１７９】
無線システム（ＢＳＳ）１０６は、該当の端末にＦｅａｔｕｒｅ Ｎｏｔｉｆｉｃａｔｉｏｎメッセージを伝送する（段階Ｔ１１８）。これによって端末はＩｎｄｉｃａｔｏｒによってその画面に私設無線可能可否が示されるか発信が制御される。
【０１８０】
一方、専用位置登録／サービス制御ポイント（ＸＬＲ‐ＳＣＰ）１１０は、私設網加入者ＤＢに変更があることを知らせるＱＵＡＬＤＩＲ Ｉｎｖｏｋｅを私設位置登録装置（ＰＢＸ‐ＨＬＲ／ＶＬＲ）１０８に伝送する（段階Ｔ１２０）。ここで、ＥＳＮ領域は、Ｓｅｒｉａｌ Ｎｏ.を伝送して私設無線網運用者にＥＳＮ情報が伝送されないようにすることが望ましい。
【０１８１】
私設位置登録装置（ＰＢＸ‐ＨＬＲ／ＶＬＲ）１０８は、加入者ＤＢを更新した後上記専用位置登録／サービス制御ポイント（ＸＬＲ‐ＳＣＰ）１１０にｑｕａｌｄｉｒ応答メッセージを伝送する（段階Ｔ１２２）。
【０１８２】
図６に示した私設無線網統合システムの場合は上述の手続きを全て行い、図４に示した私設無線網統合システムの場合は段階Ｔ１２０及び段階Ｔ１２２を行わない。
一方、図５に示した私設無線網統合システムの場合には図２２に示したシグナリング処理手続きを行う。
【０１８３】
図２２を参照すれば、移動端末（ＭＳ）１は、上述のような位置登録条件（Ｂａｓｅ ＩＤ変更、Ｕｓｅｒ Ｚｏｎｅ変更あるいは登録Ｚｏｎｅ変更）が満足されたとき、無線システム（ＢＳＳ）１０６に位置登録要請（Ｒｅｇｉｓｔｒａｔｉｏｎ Ｒｅｑｕｅｓｔ）メッセージを伝送する（段階Ｔ１５０）。
【０１８４】
無線システム（ＢＳＳ）１０６は、交換局システム１０３に位置登録要請（Ｒｅｇｉｓｔｒａｔｉｏｎ Ｒｅｑｕｅｓｔ）を伝送し（段階Ｔ１５２）、交換局システム１０３はホーム位置登録機（ＨＬＲ）１００に位置登録通知メッセージ（ＲＥＧＮＯＴ）を伝送する（段階Ｔ１５４）。ここで、ＲＥＧＮＯＴには、ＭＩＮ、ＥＳＮ、ＭＳＣ ＩＤ、ＱＵＡＬＣＯＤＥ（Ｑｕａｌｉｆｉｃａｔｉｏｎ Ｉｎｆｏｒｍａｔｉｏｎ Ｃｏｄｅ）、ＭＹＴＹＰＥ（Ｓｙｓｔｅｍ Ｍｙ Ｔｙｐｅ Ｃｏｄｅ）、ＬＡＩ、ＳＹＳＡＣＣＴＹＰＥ（Ｓｙｓｔｅｍ Ａｃｃｅｓｓ Ｔｙｐｅ）などのパラメータが含まれる。
【０１８５】
ホーム位置登録機（ＨＬＲ）１００は、位置登録時に含まれたＬＡＩ情報とＤＢにあるＷＰＢＸ基地局情報とを比較してＷＰＢＸ出入可否を定め（段階Ｔ１５６）、交換局システム１０３に応答メッセージ（ｒｅｇｎｏｔ）を伝送し（段階Ｔ１５８）、交換局システム１０３は該当の無線システム（ＢＳＳ）１０６に位置登録応答メッセージ（ＲｅｇｉＡｃｃｅｐｔ）を伝送する（段階Ｔ１６０）。このとき、私設無線網の出入可否及びその他付加サービス（移動端末のカメラ制御など）情報も共に伝送されることが望ましい。
【０１８６】
無線システム（ＢＳＳ）１０６は、該当の移動端末（ＭＳ）１に位置応答メッセージ（ＲｅｇｉＡｃｃｅｐｔ）を伝送する（段階Ｔ１６２）。
【０１８７】
また、私設無線網の出入可否及びその他制御状態を端末に伝送するための他の方法として、交換局システム１０３はＶＬＲ加入者ＤＢで私設無線網に関連したＤＢ値が変更されるとき、状態通知メッセージ（Ｆｅａｔｕｒｅ Ｎｏｔｉｆｉｃａｔｉｏｎ）を無線システム（ＢＳＳ）１０６に伝送する（段階Ｔ１６４）。
【０１８８】
無線システム（ＢＳＳ）１０６は、該当の移動端末（ＭＳ）１に状態通知メッセージ（Ｆｅａｔｕｒｅ Ｎｏｔｉｆｉｃａｔｉｏｎ）を伝送する（段階Ｔ１６６）。これによって移動端末（ＭＳ）は、指示子（Ｉｎｄｉｃａｔｏｒ）によってその画面に私設無線網サービスの可能可否が表示されるか発信が制御される。
【０１８９】
図２３には、ＭＳＣ／ＶＬＲ形態の交換局システム１０３で私設無線網の出入可否を定めるシグナリング処理手続きが示されている。この場合、交換局システム１０３では、ＷＰＢＸごとの基地局情報をＤＢ化して管理し（段階Ｔ１５１）、位置登録発生時基地局情報リストと比較することで私設無線網出入制御及びその他付加サービス制御を行う。
【０１９０】
図２３を参照すれば、移動端末１が交換機間の移動や、パワーオン／オフ、タイマー動作などに起因して位置登録を要請することによって、無線システム（ＢＳＳ）１０６では交換局システム１０３に位置登録要請メッセージを伝送する（段階Ｔ１５３及びＴ１５５）。
【０１９１】
交換局システム１０３は加入者ＤＢの生成／変更のためにホーム位置登録機（ＨＬＲ）に位置登録を要請し（段階Ｔ１５７）、ホーム位置登録機（ＨＬＲ）は位置登録要請に含まれたＭＳＣ情報を私設無線網加入者プロファイルに登録されたＭＳＣ ＩＤと比較して（段階Ｔ１５９）相異なる場合には一般的な位置登録応答を行い（段階Ｔ１６５）、同一の場合には移動端末（ＭＳ）１が加入者サービスが可能な交換局システム１０３の領域内に進入したことを知らせるために、一般的な位置登録応答情報を含めてＷＰＢＸ Ｓｅｒｖｉｃｅ ＩＮＤ及びＷＰＢＸ ＮＯ.などの情報を含む応答メッセージを伝送する（段階Ｔ１６１）。
【０１９２】
交換局システム１０３は、加入者ＤＢを管理して私設無線網機能を活性化し該当のＷＰＢＸ ＮＯ.の基地局情報を管理する（段階Ｔ１６３）。
【０１９３】
また、交換局システム１０３は、無線システム（ＢＳＳ）１０６を経由して移動端末（ＭＳ）１に位置登録応答メッセージを伝送する（段階Ｔ１６７）。これに応答して移動端末（ＭＳ）１は、私設無線網の位置登録条件に応じた位置登録要請を無線システム（ＢＳＳ）１０６に伝送し（段階Ｔ１６９）、無線システム（ＢＳＳ）１０６では該当の位置登録要請メッセージを交換局システム１０３に伝送する（段階Ｔ１７１）。
【０１９４】
交換局システム１０３は、位置登録要請に含まれた基地局情報（ＢＡＳＥ ＩＤ）とＷＰＢＸ基地局情報ＤＢとを比較する（段階Ｔ１７３）。比較した結果、ＷＰＢＸ基地局情報ＤＢに属する場合、交換局システム１０３は該当の私設無線網に対する出入（Ｉｎ／Ｏｕｔ）と付加機能制御のための加入者状態通知メッセージ（ＦＮＭ：Ｆｅａｔｕｒｅ Ｎｏｔｉｆｉｃａｔｉｏｎ Ｍｓｇ.）を移動端末（ＭＳ）１に伝送する（段階Ｔ１７５）。
【０１９５】
以後、交換局システム１０３は、無線システム（ＢＳＳ）１０６を経由して移動端末（ＭＳ）１に位置登録応答メッセージを伝送する（段階Ｔ１７７）。段階Ｔ１７３において、位置登録要請に含まれた基地局情報（ＢＡＳＥ ＩＤ）がＷＰＢＸ基地局情報ＤＢに属しない場合には段階Ｔ１７５が行われない。
【０１９６】
図２４及び図２５には、本発明に従って提供される非同期式ＷＣＤＭＡ網での端末位置登録方法が概略的に示されている。
【０１９７】
図２４を参照すれば、オーバーヘッドチャンネルで放送されるＳＩＢ（Ｓｙｓｔｅｍ Ｉｎｆｏｒｍａｔｉｏｎ Ｂｌｏｃｋ）ｔｙｐｅ ３／４のメッセージに含まれたＣｅｌｌ ＩＤ特定指定ビット値が変更（０⇔１）される度に移動端末（ＭＳ）は位置登録を行い、移動端末（ＭＳ）は初期開通時私設無線網機能に対するＯｎ／Ｏｆｆ機能を提供しなければならず、私設無線網機能をＯｎした端末に限って本位置登録が行われることで位置登録によるシステムの負荷を最小化すべきである。
【０１９８】
図２５を参照すれば、私設無線網のＬＡＩと公衆移動通信網のＬＡＩとは相異なるように設定されて移動端末（ＭＳ）の移動によるＬＡＩの変更時自動で位置登録が行われることで私設無線網サービス領域に対する出入状態を確認することができる。
【０１９９】
図２６は、本発明に従って行われる非同期式ＷＣＤＭＡ網での端末位置登録シグナリング処理方法を示す手続き図である。
【０２００】
図２６を参照すれば、移動端末（ＭＳ）１は、上述のような位置登録条件が満足されたとき、位置情報更新メッセージ（ＬＵ）を無線システム１０６に伝送する（段階Ｔ２００）。
【０２０１】
無線システム１０６は交換局システム１０３に位置情報更新メッセージ（ＬＵ）を伝送し（段階Ｔ２０２）、交換局システム１０３はホーム位置登録機（ＨＬＲ）１００に位置登録要請（ＵＰＬ）を伝送する（段階Ｔ２０４）。
【０２０２】
ホーム位置登録機（ＨＬＲ）１００は、上記交換局システム１０３に位置登録応答（ＵＰＬ）を伝送する（段階Ｔ２０６）。ここで、図５に示したシステムの場合、ホーム位置登録機（ＨＬＲ）１００は移動端末（ＭＳ）１の私設無線網の出入可否を判断して応答を行わなければならない。
【０２０３】
交換局システム１０３は、専用位置登録／サービス制御ポイント（ＸＬＲ‐ＳＣＰ）１１０に位置情報登録要請（ＮＯＴＥ‐ＭＭ‐ＥＶＥＮＴ）を伝送する（段階Ｔ２０８）。
専用位置登録／サービス制御ポイント（ＸＬＲ‐ＳＣＰ）１１０は、加入者の私設無線網の出入可否を判断し、ＩＭＳＩ及びＣｅｌｌ ＩＤに基づいて端末ＤＢをアップデートした後（段階Ｔ２１０）、交換局システム１０３に位置登録応答（ｎｏｔｅ‐ｍｍ‐ｅｖｅｎｔ）を伝送する（段階Ｔ２１２）。
【０２０４】
交換局システム１０３は、無線システム１０６に位置情報更新応答を伝送するが（段階Ｔ２１４）、このとき私設無線網の出入可否及びその他付加サービス（移動端末のカメラ制御など）情報も共に伝送されることが望ましい。
無線システム１０６は、移動端末（ＭＳ）１に位置情報更新応答を伝送する（段階Ｔ２１６）。
【０２０５】
また、私設無線網の出入可否及びその他制御状態を端末に伝送するための他の方法として、交換局システム１０３はＶＬＲ加入者ＤＢで私設無線網に関連したＤＢ値が変更されるとき、ＧＭＭ（ＧＰＲＳ Ｍｏｂｉｌｉｔｙ Ｍａｎａｇｅｍｅｎｔ）メッセージを移動端末（ＭＳ）１に伝送する（段階Ｔ２１８）。このときＧＭＭメッセージは、図２９に示したように、細部パラメータであるＬＳＡ ＩＤ（全体２４ビットから構成）に制御ビットを定義して端末に対する私設無線網サービスの可能可否及び付加機能の制御機能を提供する。
【０２０６】
専用位置登録／サービス制御ポイント（ＸＬＲ‐ＳＣＰ）１１０は、私設位置登録装置（ＰＢＸ‐ＨＬＲ／ＶＬＲ）１０８に移動端末（ＭＳ）１の位置情報を提供するために位置登録要請を伝送し（段階Ｔ２２０）、私設位置登録装置（ＰＢＸ‐ＨＬＲ／ＶＬＲ）１０８は、端末位置情報を更新した後専用位置登録／サービス制御ポイント（ＸＬＲ‐ＳＣＰ）１１０に位置登録応答メッセージを伝送する（段階Ｔ２２２）。
【０２０７】
非同期式ＷＣＤＭＡ網での端末位置登録シグナリング処理方法において、図５に示した私設無線網統合システムの場合には図２７に示したシグナリング処理手続きを行う。
【０２０８】
図２７を参照すれば、移動端末（ＭＳ）１は、上述のような位置登録条件（Ｃｅｌｌ ＩＤ変更あるいはＬＡＩ変更）が満足されたとき、無線システム（ＢＳＳ）１０６に位置情報更新メッセージ（Ｌｏｃａｔｉｏｎ Ｕｐｄａｔｅ）を伝送して位置登録を要請する（段階Ｔ２５０）。
【０２０９】
無線システム（ＢＳＳ）１０６は、交換局システム１０３に位置情報更新メッセージ（Ｌｏｃａｔｉｏｎ Ｕｐｄａｔｅ）を伝送し（段階Ｔ２５２）、交換局システム１０３はホーム位置登録機（ＨＬＲ）１００に位置登録要請（ＵＰＬ）を伝送する（段階Ｔ２５４）。
【０２１０】
ホーム位置登録機（ＨＬＲ）１００は、位置登録時含まれたＬＡＩ情報とＤＢにあるＷＰＢＸ基地局情報とを比較してＷＰＢＸ出入可否を定め（段階Ｔ２５６）、交換局システム１０３に位置登録応答（ｕｐｌ）を伝送する（段階Ｔ２５８）。ここで、ホーム位置登録機（ＨＬＲ）１００は、移動端末（ＭＳ）１の私設無線網の出入可否を判断して応答を行わなければならない。
【０２１１】
交換局システム１０３は、該当の無線システム（ＢＳＳ）１０６に位置情報更新応答（ＬＵ Ａｃｃｅｐｔ）を伝送する（段階Ｔ２６０）。このとき私設無線網の出入可否及びその他付加サービス（移動端末のカメラ制御など）情報も共に伝送されることが望ましい。
【０２１２】
無線システム（ＢＳＳ）１０６は、該当の端末に位置情報更新応答（ＬＵ Ａｃｃｅｐｔ）を伝送する（段階Ｔ２６２）。
【０２１３】
また、私設無線網の出入可否及びその他制御状態を端末に伝送するための他の方法として、交換局システム１０３は、ＶＬＲ加入者ＤＢで私設無線網に関連したＤＢ値が変更されるとき、ＧＭＭメッセージを移動端末（ＵＥ）１に伝送する（段階Ｔ２６４）。このときＧＭＭメッセージは、図２９に示したように、細部パラメータであるＬＳＡ ＩＤ（全体２４ビットから構成）に制御ビットを定義して端末に対する私設無線網サービスの可能可否及び付加機能の制御機能を提供する。
【０２１４】
図２８には、ＭＳＣ／ＶＬＲあるいはＳＧＳＮ／ＶＬＲ形態の交換局システム１０３で私設無線網の出入可否を定めるシグナリング処理手続きが示されている。この場合、交換局システム１０３ではＷＰＢＸごとの基地局情報をＤＢ化して管理し（段階Ｔ２５１）、位置登録発生時基地局情報リストと比較することで私設無線網出入制御及びその他付加サービス制御を行う。端末の私設無線網出入制御及びその他付加サービス制御のための方法としては、ＧＭＭ Ｉｎｆｏ、ＭＭ Ｉｎｆｏメッセージなど多様な技術が採択できるが、本処理手続きではＧＭＭ ＩｎｆｏメッセージにあるＬＳＡ ＩＤ（Ｌｏｃａｌｉｚｅｄ Ｓｅｒｖｉｃｅ Ａｒｅａ）を活用した。
【０２１５】
図２８を参照すれば、移動端末（ＵＥ）１が交換機間の移動や、パワーオン／オフ、タイマー動作などに起因して位置登録を要請することによって、無線システム（ＲＡＮ）１０６では交換局システム１０３に位置登録要請メッセージを伝送する（段階Ｔ２５３及びＴ２５５）。
【０２１６】
交換局システム１０３は加入者ＤＢの生成／変更のためにホーム位置登録機（ＨＬＲ）に位置登録を要請し（段階Ｔ２５７）、ホーム位置登録機（ＨＬＲ）は位置登録要請に含まれたＭＳＣ情報を私設無線網加入者プロファイルに登録されたＭＳＣ ＩＤと比較して（段階Ｔ２５９）相異なる場合には一般的な位置登録応答を行い（段階Ｔ２６５）、同一の場合には移動端末（ＵＥ）１が加入者サービスが可能な交換局システム１０３の領域内に進入したことを知らせるために、一般的な位置登録応答情報を含めてＷＰＢＸ Ｓｅｒｖｉｃｅ ＩＮＤ及びＷＰＢＸ ＮＯ.などの情報を含む応答メッセージを伝送する（段階Ｔ２６１）。
【０２１７】
交換局システム１０３は、加入者ＤＢを管理して私設無線網機能を活性化し該当のＷＰＢＸ ＮＯ.の基地局情報を管理する（段階Ｔ２６３）。
【０２１８】
また、交換局システム１０３は、無線システム（ＲＡＮ）１０６を経由して移動端末（ＵＥ）１に位置登録応答メッセージを伝送する（段階Ｔ２６７）。これに応答して移動端末（ＵＥ）１は私設無線網の位置登録条件に応じた位置登録要請を無線システム（ＲＡＮ）１０６に伝送し（段階Ｔ２６９）、無線システム（ＲＡＮ）１０６では該当の位置登録要請メッセージを交換局システム１０３に伝送する（段階Ｔ２７１）。
【０２１９】
交換局システム１０３は、位置登録要請に含まれた基地局情報（ＢＡＳＥ ＩＤ）とＷＰＢＸ基地局情報ＤＢとを比較する（段階Ｔ２７３）。比較結果、ＷＰＢＸ基地局情報ＤＢに属する場合、交換局システム１０３は該当の私設無線網に対する出入（Ｉｎ／Ｏｕｔ）と付加機能制御のためのＧＭＭ Ｉｎｆｏメッセージを移動端末（ＵＥ）１に伝送する（段階Ｔ２７５）。移動端末（ＵＥ）１はＧＭＭ ＩｎｆｏメッセージにあるＬＳＡ ＩＤの各制御ビットによって端末の機能を制御する。
【０２２０】
以後、交換局システム１０３は、無線システム（ＲＡＮ）１０６を経由して移動端末（ＵＥ）１に位置登録応答メッセージを伝送する（段階Ｔ２７７）。段階Ｔ２７３において、位置登録要請に含まれた基地局情報（ＢＡＳＥ ＩＤ）がＷＰＢＸ基地局情報ＤＢに属しない場合には段階Ｔ２７５が行われない。
【０２２１】
図３０ないし図３５は、本発明のまた他の側面によって行われる、着信端末のトラフィック状態を知らせるための呼処理手続きを示した図面である。
まず、図３０及び図３１に示した呼処理手続きを行うための図６の私設無線網統合サービスシステムは以下のような構成を持つ。
【０２２２】
トラフィック状態情報を提供するため、私設無線網統合サービスシステムは、公衆移動通信網（ＰＬＭＮ）の交換局システム１０３に連結される私設交換機（ＰＢＸ）１０７と、私設無線網加入者の登録、認証及び出入を処理し交換局システム１０３に対してトラフィック確認及び呼処理のための情報を提供するように私設無線網内に備えられた呼処理管理装置である私設位置登録装置（ＰＢＸ‐ＨＬＲ／ＶＬＲ）１０８を含む。
【０２２３】
公衆移動通信網（ＰＬＭＮ）は、移動局（ＭＳ）に対して同期式ＣＤＭＡ（Ｃｏｄｅ Ｄｉｖｉｓｉｏｎ Ｍｕｌｔｉｐｌｅ Ａｃｃｅｓｓ）あるいは非同期式ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）方式の移動通信サービスを提供するためのものであって、公知のようにホーム位置登録機（ＨＬＲ）１００と、上記ホーム位置登録機（ＨＬＲ）１００に連結された多数の交換局システム１０３と、上記交換局システム１０３に連結された多数の基地局制御機（ＢＳＣあるいはＲＡＮ）１０４と、上記基地局制御機（ＢＳＣあるいはＲＡＮ）１０４に連結された多数の基地局（ＢＴＳあるいはＮｏｄｅ Ｂ）１０５と、信号交換のための信号中継ポイント（ＳＴＰ）１０２とを備える。
【０２２４】
信号中継ポイント（ＳＴＰ）１０２は、上記ホーム位置登録機（ＨＬＲ）１００と交換局システム１０３との間あるいは交換局システム１０３間のＮｏ.７信号をルーティングする中継交換機の役割をする。信号中継ポイント（ＳＴＰ）１０２には位置登録処理のための専用位置登録／サービス制御ポイント（ＸＬＲ‐ＳＣＰ）１１０が連結できる。
【０２２５】
交換局システム１０３は、２Ｇ及び３Ｇの主音声呼処理を行うシステム及び加入者ＤＢであるＭＳＣ／ＶＬＲや、３Ｇでデータ処理を行うシステム及び加入者ＤＢであるＳＧＳＮ／ＶＬＲ、あるいは２Ｇでデータ処理を行うシステムであるＰＤＳＮから構成される。以下、ＭＳＣ／ＶＬＲ形態の交換局システム１０３と私設交換機（ＰＢＸ）１０７が連動する場合を中心にして本発明を説明する。
【０２２６】
交換局システム１０３は、私設位置登録装置（ＰＢＸ‐ＨＬＲ／ＶＬＲ）から着／発信端末の翻訳情報を受信し、着信端末のトラフィック状態を確認して発信端末に通話中状態を伝送する。
【０２２７】
このため、交換局システム１０３は、着信番号を解釈して特殊コードが含まれた場合を私設無線網呼として認識した後、着信番号に含まれたＧＴコードを解釈して該当の私設交換機（ＰＢＸ）１０７を区分し、私設交換機（ＰＢＸ）に対応する私設位置登録装置（ＰＢＸ‐ＨＬＲ／ＶＬＲ）に対して位置経路を要請しその応答メッセージを受信する処理を行う。
【０２２８】
交換局システム１０３には私設無線網呼の発生時これが認識できるように私設無線網呼の局番を解釈するための要素が含まれる。たとえ図面には示されていないが、交換局システム１０３には、私設交換機（ＰＢＸ）１０７ごとに付与されるＧＴコードを貯蔵するＧＴデータベース（ＧＴＤＢ）と、私設網加入者を区分することができる識別子（ＷＰＢＸ Ｓｅｒｖｉｃｅ Ｉｎｄｉｃａｔｏｒ、ＷＰＢＸ Ｉｎ／Ｏｕｔ Ｉｎｄｉｃａｔｏｒ、ＷＰＢＸ Ｎｏ.、ＷＰＢＸ基地局情報など）が加えられた加入者情報を貯蔵する加入者ＶＬＲデータベースが備えられる。
【０２２９】
私設無線網呼の場合着信番号は、例えば、「＃ＮＮＮＮ‐ＭＭＭＭ」のように特殊コード（＃）＋ＧＴコード（ＮＮＮＮ）＋番号（ＭＭＭＭ）の形態から構成される。
より望ましくは、私設無線網呼の着信番号は、例えば、「＃ＭＭＭＭ」のように特殊コード（＃）＋番号（ＭＭＭＭ）の形態から構成される。私設交換機（ＰＢＸ）の区分のためのＧＴコードの分析は発信端末の加入者ＶＬＲデータベースに含まれているものを活用することができるので、これを着信端末の私設交換機（ＰＢＸ）と同一視することで呼処理ができる。このように特殊コード（＃）＋番号（ＭＭＭＭ）の形態で着信番号を指定する場合、サービス加入者の番号入力作業を簡素化することができる。
ここで、特殊コード「＃」は、交換局システム１０３が私設無線網呼であるか否かを認識できるように付与されるコードであって、「＊」、「＃＊」などに替えることも可能であり、その他に多様な変形例があり得る。
【０２３０】
着信端末がＣＮＩＰ（Ｃａｌｌｉｎｇ Ｎｕｍｂｅｒ Ｉｄｅｎｔｉｆｉｃａｔｉｏｎ Ｐｒｅｓｅｎｔａｔｉｏｎ）サービスを受ける端末である場合、上記特殊コードを発信番号に付加して着信端末に伝送すれば着信端末に対して私設無線網呼の着信を知らせることができる便利性がある。例えば、発信端末番号がＫＫＫＫあるいはＮＮＮＮ‐ＫＫＫＫである場合、着信端末に着信され表示される番号は＃ＫＫＫＫあるいは＃ＮＮＮＮ‐ＫＫＫＫになるように呼処理が行われることができる。
【０２３１】
私設交換機（ＰＢＸ）１０７は、交換局システム１０３とＰＳＴＮ１０９とにリンクされて上記交換局システム１０３が私設無線網呼を処理することができるように連動する。
私設位置登録装置（ＰＢＸ‐ＨＬＲ／ＶＬＲ）１０８は、上記私設交換機（ＰＢＸ）１０７と共に私設無線網（ＷＰＢＸ）を形成し、交換局システム１０３の要請に応答して着／発信番号の翻訳情報を上記交換局システム１０３に提供して公衆網呼及び私設無線網呼に対するトラフィック管理と呼処理が行われるようにする。
【０２３２】
上記私設位置登録装置（ＰＢＸ‐ＨＬＲ／ＶＬＲ）１０８は、上記信号中継ポイント（ＳＴＰ）１０２にリンクされてＮｏ.７シグナリング（Ｓｉｇｎａｌｉｎｇ）を行う。私設位置登録装置（ＰＢＸ‐ＨＬＲ／ＶＬＲ）１０８は、私設無線網の加入者登録（移動通信番号と有線番号のマッチング、付加サービスなど）、加入者位置情報の管理などを行うＨＬＲ機能と、訪問者位置登録を行うＶＬＲ機能とを基本的に提供する。
【０２３３】
図３０に示した呼処理手続きにおいて、着信番号の番号体系は、特殊コード（＃）＋ＧＴコード（ＮＮＮＮ）＋番号（ＭＭＭＭ）から構成される場合システムを具現するにおいては便利であるが、加入者が入力しなければならない番号が多くて使用が不便なので、特殊コード（＃）＋番号（ＭＭＭＭ）から構成される例を中心にして説明する。
【０２３４】
発信端末の発信（発信番号：０１０‐１１１１‐２２２２、着信番号：＃３３３３）によって無線システム（ＢＳＳあるいはＲＡＮ）１０６から交換局システム１０３に呼要請が受信されれば（段階Ｕ１００及びＵ１０２）、交換局システム１０３は着信番号の特殊コードを確認して私設無線網呼であるか否かを判断する（段階Ｕ１０４）。
【０２３５】
判断結果、私設無線網呼を示す特殊コード「＃」が存在しない場合交換局システム１０３は公衆移動通信網（ＰＬＭＮ）のみを活用した通常の公衆網呼処理を行い（段階Ｕ１０６）、特殊コード「＃」を認識した場合には加入者ＶＬＲデータベースを検索して発信端末が私設無線網（ＷＰＢＸ）の領域内に位置するか否かを確認する（段階Ｕ１０８）。
【０２３６】
加入者ＶＬＲデータベースの検索結果、発信端末が私設無線網（ＷＰＢＸ）の地域内に存在しないと判断された場合交換局システム１０３は呼を解除する（段階Ｕ１１０）。
【０２３７】
一方、発信端末が私設無線網（ＷＰＢＸ）の地域内に存在する無線端末（ＭＳ）１であると判断された場合、交換局システム１０３は発信側加入者ＶＬＲデータベースでＷＰＢＸ Ｎｏ.を確認して着信端末機の私設交換機（ＰＢＸ）１０７を定め（段階Ｕ１１２）、該当の私設交換機（ＰＢＸ）１０７に対応する私設位置登録装置（ＰＢＸ‐ＨＬＲ／ＶＬＲ）１０８に着／発信番号に対する位置経路情報を要請する（段階Ｕ１１４）。
【０２３８】
私設位置登録装置（ＰＢＸ‐ＨＬＲ／ＶＬＲ）１０８は、上記位置経路要請に対応する番号翻訳を行う（Ｃａｌｌｉｎｇ：０１０‐１１１１‐２２２２⇒２２２２、Ｃａｌｌｅｄ：＃３３３３⇒０１０‐１１１１‐３３３３）（段階Ｕ１１６）。
【０２３９】
着／発信端末に対する番号翻訳を完了した後、私設位置登録装置（ＰＢＸ‐ＨＬＲ／ＶＬＲ）１０８は、着信有線端末呼であるか否かとその通話中（ｂｕｓｙ）状態を確認し（段階Ｕ１１８）、通話中である場合には交換局システム１０３に位置経路応答メッセージ［ｂｕｓｙ］を伝送する（段階Ｕ１２０）。
【０２４０】
交換局システム１０３では位置経路応答メッセージ［ｂｕｓｙ］を受信し、該当の発信無線端末（ＭＳ）１に着信有線端末が通話中状態であることを知らせる（段階Ｕ１２２）。
【０２４１】
一方、段階Ｕ１１８で着信有線端末呼でないと判断された場合、私設位置登録装置（ＰＢＸ‐ＨＬＲ／ＶＬＲ）１０８は加入者データベースを検索して番号翻訳された着信端末が私設無線網（ＷＰＢＸ）の領域内にあるか否かを確認する（段階Ｕ１２４）。
【０２４２】
着信端末が私設無線網（ＷＰＢＸ）の領域内にある無線端末（ＭＳ）２である場合、私設位置登録装置（ＰＢＸ‐ＨＬＲ／ＶＬＲ）１０８は交換局システム１０３に位置経路応答メッセージ［Ｃａｌｌｉｎｇ：＃２２２２、Ｃａｌｌｅｄ：０１０‐１１１１‐３３３３］を伝送する（段階Ｕ１２６）。
【０２４３】
交換局システム１０３は、位置経路応答メッセージ［ｂｕｓｙ］を受信して該当の着信端末の呼状態を確認し（段階Ｕ１２８）、着信端末が通話中である場合には発信無線端末（ＭＳ）１に着信無線端末（ＭＳ）１が通話中状態であることを知らせる（段階Ｕ１３０）。
【０２４４】
図３１には、発信端末が有線端末３である場合の呼処理手続きが示されている。
【０２４５】
図３１を参照すれば、発信端末が私設交換機（ＰＢＸ）１０７に呼を要請したとき（Ｃａｌｌｉｎｇ：３３３３、Ｃａｌｌｅｄ：２２２２）（段階Ｕ２００）、私設交換機（ＰＢＸ）１０７は着信有線端末呼の通話中状態を判断する（段階Ｕ２０２）。
【０２４６】
判断した結果着信有線端末が通話中である場合、私設交換機（ＰＢＸ）１０７は発信端末に通話中状態を知られる指示子（Ｂｕｓｙ Ｉｎｄ）を伝送し（段階Ｕ２０４）、私設位置登録装置（ＰＢＸ‐ＨＬＲ／ＶＬＲ）１０８は着信無線端末が私設無線網に存在することを確認して着／発信番号を変更する（Ｃａｌｌｉｎｇ：３３３３⇒＃３３３３、Ｃａｌｌｅｄ：２２２２⇒０１０‐１１１１‐２２２２）（段階Ｕ２０６）。
【０２４７】
以後、私設交換機（ＰＢＸ）１０７は、変更された番号に対する呼設定要請メッセージ（ＩＡＭ）を交換局システム１０３に伝送する（段階Ｕ２０８）。
【０２４８】
交換局システム１０３は、該当の着信端末の通話中状態を判断して（段階Ｕ２１０）、通話中状態であると確認された場合には私設交換機（ＰＢＸ）１０７に応答メッセージを伝送し（段階Ｕ２１２）、これによって発信有線端末３に通話中であることを知らせるメッセージが伝達される（段階Ｕ２１４）。
【０２４９】
図３２及び図３３に示した呼処理手続きを行うための図４の私設無線網統合サービスシステムは以下のような構成を持つ。
【０２５０】
トラフィック状態情報を提供するため、私設無線網統合サービスシステムは、公衆移動通信網（ＰＬＭＮ）の交換局システム１０３に連結される私設交換機（ＰＢＸ）１０７と、公衆移動通信網（ＰＬＭＮ）の信号中継ポイント（ＳＴＰ）１０２に連結されて交換局システム１０３に対してトラフィック確認及び呼処理のための情報を提供する呼処理管理装置である専用位置登録／サービス制御ポイント（ＸＬＲ‐ＳＣＰ）１１０を含む。
【０２５１】
上記信号中継ポイント（ＳＴＰ）１０２には、ＳＭＳＣ（Ｓｈｏｒｔ Ｍｅｓｓａｇｅ Ｓｅｒｖｉｃｅ Ｃｅｎｔｅｒ）１１２がさらにリンクできる。また、ＳＭＳＣ１１２にはインターネット１１１を介して加入者ＤＢ管理企業型ＳＭＳＣ１１３が連結され、公衆移動通信網（ＰＬＭＮ）のホーム位置登録機（ＨＬＲ）１００及び専用位置登録／サービス制御ポイント（ＸＬＲ‐ＳＣＰ）１１０と連動する加入者登録装置１１４がさらに含まれることが望ましい。
【０２５２】
専用位置登録／サービス制御ポイント（ＸＬＲ‐ＳＣＰ）１１０は、交換局システム１０３に対してトラフィック管理及び呼処理のための端末情報を提供する。すなわち、専用位置登録／サービス制御ポイント（ＸＬＲ‐ＳＣＰ）１１０は、交換局システム１０３の要請に応答して着／発信番号の翻訳情報を上記交換局システム１０３に提供して公衆網呼及び私設無線網呼に対するトラフィック確認及び該当の呼処理が行われるようにする。
【０２５３】
このため、専用位置登録／サービス制御ポイント（ＸＬＲ‐ＳＣＰ）１１０は、交換局システム１０３からルーティングされた着信番号に含まれたＧＴコードを解釈して該当の私設交換機（ＰＢＸ）を区分する。代案として、専用位置登録／サービス制御ポイント（ＸＬＲ‐ＳＣＰ）１１０は、交換局システム１０３からルーティングされた発信番号を活用して着信番号の該当の私設交換機（ＰＢＸ）を区分することができる。
【０２５４】
上記専用位置登録／サービス制御ポイント（ＸＬＲ‐ＳＣＰ）１１０は、上記信号中継ポイント（ＳＴＰ）１０２にリンクされてＮｏ.７シグナリングを行い、専用位置登録及び加入者認証処理と、知能網呼処理などを行う。
【０２５５】
交換局システム１０３は、着信番号に前述した特殊コードが含まれたことを認識して公衆移動通信網（ＰＬＭＮ）のホーム位置登録機（ＨＬＲ）１００に呼設定のためのルーティング情報を要請し、ホーム位置登録機（ＨＬＲ）１００から提供されるルーティング情報に対応する専用位置登録／サービス制御ポイント（ＸＬＲ‐ＳＣＰ）１１０に呼設定を要請する。
【０２５６】
また、交換局システム１０３は、専用位置登録／サービス制御ポイント（ＸＬＲ‐ＳＣＰ）１１０によって翻訳された着信番号を受信してトラフィック状態を確認し、公衆移動通信網（ＰＬＭＮ）のみを活用するか該当の私設交換機（ＰＢＸ）１０７と連動することで呼処理を行う。
【０２５７】
図３２に示した呼処理手続きを参照すれば、発信端末の発信（発信番号：０１０‐１１１１‐２２２２、着信番号：＃３３３３）によって無線システム（ＢＳＳあるいはＲＡＮ）１０６から交換局システム１０３に呼要請が受信されれば（段階Ｕ３００及びＵ３０２）、交換局システム１０３は着信番号に含まれた特殊コード「＃」を認識して知能網呼のような処理のためにホーム位置登録機（ＨＬＲ）１００に呼設定を要請する（Ｃａｌｌｉｎｇ：０１０‐１１１１‐２２２２、Ｃａｌｌｅｄ：＃３３３３、基地局情報）（段階Ｕ３０４）。
【０２５８】
ホーム位置登録機（ＨＬＲ）１００は、該当の専用位置登録／サービス制御ポイント（ＸＬＲ‐ＳＣＰ）１１０のルーティング情報が含まれた呼設定応答メッセージを交換局システム１０３に伝送する（段階Ｕ３０６）。
【０２５９】
呼設定応答メッセージを受信した交換局システム１０３は、該当の専用位置登録／サービス制御ポイント（ＸＬＲ‐ＳＣＰ）１１０に呼設定を要請する（Ｃａｌｌｉｎｇ：０１０‐１１１１‐２２２２、Ｃａｌｌｅｄ：＃３３３３、基地局情報）（段階Ｕ３０８）。
【０２６０】
専用位置登録／サービス制御ポイント（ＸＬＲ‐ＳＣＰ）１１０では設定要請された呼が私設無線網の呼であるか否かを判断して（段階Ｕ３１０）、私設無線網呼ではない場合には公衆網呼など他の呼処理が行われるように交換局システム１０３に応答し（段階Ｕ３１２）、私設無線網呼である場合には発信端末が私設無線網（ＷＰＢＸ）の領域内に存在するか否かを確認する（段階Ｕ３１４）。
【０２６１】
確認結果、発信端末が私設無線網（ＷＰＢＸ）の領域内に存在しない場合、専用位置登録／サービス制御ポイント（ＸＬＲ‐ＳＣＰ）１１０は呼解除（段階Ｕ３１８）のための応答メッセージを交換局システム１０３に伝送する（段階Ｕ３１６）。
【０２６２】
発信端末が私設無線網（ＷＰＢＸ）の領域内に存在する無線端末（ＭＳ）１である場合、専用位置登録／サービス制御ポイント（ＸＬＲ‐ＳＣＰ）１１０は着信端末の番号を翻訳し、着信端末が私設無線網（ＷＰＢＸ）の領域内にあるか否かを判断する（段階Ｕ３２０）。ここで、専用位置登録／サービス制御ポイント（ＸＬＲ‐ＳＣＰ）１１０は着信端末の番号翻訳を行うために発信端末の私設無線網（ＷＰＢＸ Ｎｏ.）を確認し、この私設無線網（ＷＰＢＸ Ｎｏ.）の加入者データベースで着信番号（３３３３）に対応する無線端末番号（０１０‐１１１１‐３３３３）を探す。このときデータベースの検索を速く行うように基地局情報を活用することができる。
【０２６３】
着信端末が私設無線網（ＷＰＢＸ）の領域内に存在すると判断された場合、専用位置登録／サービス制御ポイント（ＸＬＲ‐ＳＣＰ）１１０は交換局システム１０３に呼設定応答［Ｃａｌｌｉｎｇ：＃２２２２、Ｃａｌｌｅｄ：０１０‐１１１１‐３３３３］を伝送する（段階Ｕ３２２）。
【０２６４】
上記呼設定応答メッセージを受信した交換局システム１０３は、翻訳された着信端末の番号を活用してＶＬＲ検索を行うとともに通話中状態を確認する（段階Ｕ３２４）。
【０２６５】
以後、交換局システム１０３は、着信端末の通話中状態を専用位置登録／サービス制御ポイント（ＸＬＲ‐ＳＣＰ）１１０に伝送し（段階Ｕ３２６）、専用位置登録／サービス制御ポイント（ＸＬＲ‐ＳＣＰ）１１０では着信有線端末の存在可否を判断する（段階Ｕ３２８）。
【０２６６】
着信有線端末が存在しない場合、専用位置登録／サービス制御ポイント（ＸＬＲ‐ＳＣＰ）１１０は着信端末の状態を交換局システム１０３に伝送して発信無線端末（ＭＳ）１に伝達されるようにする（段階Ｕ３３０及びＵ３３２）。
【０２６７】
一方、着信有線端末が存在する場合、専用位置登録／サービス制御ポイント（ＸＬＲ‐ＳＣＰ）１１０は交換局システム１０３に該当のＰＢＸルーティング情報を伝送し（段階Ｕ３３４）、交換局システム１０３は該当の私設交換機（ＰＢＸ）に対して呼設定のためのＩＳＵＰ処理を行う（段階Ｕ３３６）。
【０２６８】
私設交換機（ＰＢＸ）は、該当の有線端末３が通話中状態であるか否かを判断し（段階Ｕ３３８）、通話中状態であると確認された場合には交換局システム１０３にメッセージを伝送し、これによって着信有線端末３の状態が発信端末に伝達される（段階Ｕ３４０及びＵ３４２）。
【０２６９】
図３３には、発信端末が有線端末３である場合の呼処理手続きが示されている。
【０２７０】
図３３を参照すれば、発信端末が私設交換機（ＰＢＸ）１０７に呼を要請したとき（Ｃａｌｌｉｎｇ：３３３３、Ｃａｌｌｅｄ：２２２２）（段階Ｕ４００）、私設交換機（ＰＢＸ）１０７は着信有線端末呼の通話中状態を判断する（段階Ｕ４０２）。
【０２７１】
私設交換機（ＰＢＸ）１０７は、着信有線端末４が通話中であると確認された場合発信端末に通話中状態を知られる指示子（Ｂｕｓｙ Ｉｎｄ）を伝送し（段階Ｕ４０４）、着信有線端末４が通話中ではないと確認された場合には着／発信番号を翻訳する（Ｃａｌｌｉｎｇ：３３３３⇒＃３３３３、Ｃａｌｌｅｄ：２２２２⇒０１０‐１１１１‐２２２２）（段階Ｕ４０６）。
【０２７２】
以後、私設交換機（ＰＢＸ）１０７は、交換局システム１０３に翻訳された着／発信番号に対する呼要請メッセージ（ＩＡＭ）を伝送し（段階Ｕ４０８）、それによって交換局システム１０３は専用位置登録／サービス制御ポイント（ＸＬＲ‐ＳＣＰ）１１０に呼設定を要請する（段階Ｕ４１０）。
【０２７３】
専用位置登録／サービス制御ポイント（ＸＬＲ‐ＳＣＰ）１１０は、着信端末が私設無線網（ＷＰＢＸ）内に存在するか否かを判断したとき（段階Ｕ４１２）、存在すると確認された場合交換局システム１０３に呼設定応答メッセージを伝送する（段階Ｕ４１４）。
【０２７４】
交換局システム１０３は、該当の着信端末の通話中状態を判断したとき（段階Ｕ４１６）、着信端末が通話中状態ではない場合には着信呼処理を行い（段階Ｕ４１８）、通話中状態であると確認された場合には私設交換機（ＰＢＸ）１０７に着信端末状態を知らせるメッセージを伝送する（段階Ｕ４２０）。これによって、私設交換機（ＰＢＸ）１０７は発信有線端末３に着信端末が通話中であることを知らせるメッセージ（Ｂｕｓｙ Ｉｎｄ）を伝送する（段階Ｕ４２２）。
【０２７５】
図３４及び図３５に示した呼処理手続きを行うための図５の私設無線網統合サービスシステムは以下のような構成を持つ。
【０２７６】
トラフィック状態情報を提供するため、私設無線網統合サービスシステムは、公衆移動通信網（ＰＬＭＮ）の交換局システム１０３に連結される私設交換機（ＰＢＸ）１０７と、公衆移動通信網（ＰＬＭＮ）の信号中継ポイント（ＳＴＰ）１０２に連結されて交換局システム１０３に対してトラフィック確認及び呼処理のための情報を提供する呼処理管理装置であるサービス制御ポイント（ＳＣＰ）１１５を含む。
【０２７７】
信号中継ポイント（ＳＴＰ）１０２には、ＳＭＳＣ（Ｓｈｏｒｔ Ｍｅｓｓａｇｅ Ｓｅｒｖｉｃｅ Ｃｅｎｔｅｒ）１１２がさらにリンクできる。また、ＳＭＳＣ１１２にはインターネット１１１を介して加入者ＤＢ管理企業型ＳＭＳＣ１１３が連結され、公衆移動通信網（ＰＬＭＮ）のホーム位置登録機（ＨＬＲ）１００及び専用位置登録／サービス制御ポイント（ＸＬＲ‐ＳＣＰ）１１０と連動する加入者登録装置１１４がさらに含まれることが望ましい。
【０２７８】
サービス制御ポイント（ＳＣＰ）１１５は、交換局システム１０３に対してトラフィック管理及び呼処理のための端末情報を提供する。すなわち、サービス制御ポイント（ＳＣＰ）１１５は、交換局システム１０３の要請に応答して着／発信番号の翻訳情報を上記交換局システム１０３に提供して公衆網呼及び私設無線網呼に対するトラフィック確認及び該当の呼処理が行われるようにする。
【０２７９】
このため、サービス制御ポイント（ＳＣＰ）１１５は、交換局システム１０３からルーティングされた着信番号に含まれたＧＴコードを解釈して該当の私設交換機（ＰＢＸ）を区分する。代案として、サービス制御ポイント（ＳＣＰ）１１５は、交換局システム１０３からルーティングされた発信番号を活用して着信番号の該当の私設交換機（ＰＢＸ）を区分することができる。
【０２８０】
上記サービス制御ポイント（ＳＣＰ）１１５は、上記信号中継ポイント（ＳＴＰ）１０２にリンクされてＮｏ.７シグナリングを行い、専用位置登録及び加入者認証処理と、知能網呼処理などを行う。
【０２８１】
交換局システム１０３は、着信番号に前述した特殊コードが含まれたことを認識して公衆移動通信網（ＰＬＭＮ）のホーム位置登録機（ＨＬＲ）１００に呼設定のためのルーティング情報を要請し、ホーム位置登録機（ＨＬＲ）１００から提供されるルーティング情報に対応するサービス制御ポイント（ＳＣＰ）１１５に呼設定を要請する。
【０２８２】
また、交換局システム１０３は、サービス制御ポイント（ＳＣＰ）１１５によって翻訳された着信番号を受信してトラフィック状態を確認し、公衆移動通信網（ＰＬＭＮ）のみを活用するか該当の私設交換機（ＰＢＸ）１０７と連動することで呼処理を行う。
【０２８３】
上述のような私設無線網統合サービスシステムには、ＨＬＲ加入者ＤＢ、ＶＬＲ加入者ＤＢ、ＳＣＰ加入者ＤＢ、ＰＢＸ ＨＬＲ／ＶＬＲ加入者ＤＢなどが構築されなければならない。ここで、ＨＬＲ加入者ＤＢ、ＶＬＲ加入者ＤＢ及びＳＣＰ加入者ＤＢには、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＥＳＮ、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、データ接続ＩＮＤなどのデータ要素が含まれることが望ましい。また、ＰＢＸ ＨＬＲ／ＶＬＲ加入者ＤＢには、ＷＰＢＸ ＩＤ、ＳＰＥＣ、ＩＭＳＩ、有線電話の有無、私設無線網固有番号、有線電話番号、Ｓｅｒｉａｌ Ｎｏ.、ＷＰＢＸ Ｓｅｒｖｉｃｅ ＩＮＤ、ＷＰＢＸ Ｉｎ／Ｏｕｔ ＩＮＤ、ＷＰＢＸ基地局情報、カメラ制御ＩＮＤ、データ接続ＩＮＤなどのデータ要素が含まれることが望ましい。
【０２８４】
図３４に示した呼処理手続きを参照すれば、発信端末の発信（発信番号：０１０‐１１１１‐２２２２、着信番号：＃３３３３）によって無線システム（ＢＳＳあるいはＲＡＮ）１０６から交換局システム１０３に呼要請が受信されれば（段階Ｕ５００及びＵ５０２）、交換局システム１０３は着信番号に含まれた特殊コード「＃」を認識して知能網呼のような処理のためにホーム位置登録機（ＨＬＲ）１００に呼設定を要請する（Ｃａｌｌｉｎｇ：０１０‐１１１１‐２２２２、Ｃａｌｌｅｄ：＃３３３３、基地局情報）（段階Ｕ５０４）。
【０２８５】
ホーム位置登録機（ＨＬＲ）１００は、該当のサービス制御ポイント（ＳＣＰ）１１５のルーティング情報が含まれた呼設定応答メッセージを交換局システム１０３に伝送する（段階Ｕ５０６）。
【０２８６】
呼設定応答メッセージを受信した交換局システム１０３は、該当のサービス制御ポイント（ＳＣＰ）１１５に呼設定を要請する（Ｃａｌｌｉｎｇ：０１０‐１１１１‐２２２２、Ｃａｌｌｅｄ：＃３３３３、基地局情報）（段階Ｕ５０８）。
【０２８７】
サービス制御ポイント（ＳＣＰ）１１５では設定要請された呼が私設無線網の呼であるか否かを判断して（段階Ｕ５１０）、私設無線網呼ではない場合には公衆網呼など他の呼処理が行われるように交換局システム１０３に応答し（段階Ｕ５１２）、私設無線網呼である場合には発信端末が私設無線網（ＷＰＢＸ）の領域内に存在するか否かを確認する（段階Ｕ５１４）。
【０２８８】
確認結果、発信端末が私設無線網（ＷＰＢＸ）の領域内に存在しない場合、サービス制御ポイント（ＳＣＰ）１１５は呼解除（段階Ｕ５１８）のための応答メッセージを交換局システム１０３に伝送する（段階Ｕ５１６）。
【０２８９】
発信端末が私設無線網（ＷＰＢＸ）の領域内に存在する無線端末（ＭＳ）１である場合、サービス制御ポイント（ＳＣＰ）１１５は着信端末の番号を翻訳する（段階Ｕ５２０）。ここで、サービス制御ポイント（ＳＣＰ）１１５は、着信端末の番号翻訳を行うために発信端末の私設無線網（ＷＰＢＸ Ｎｏ.）を確認し、この私設無線網（ＷＰＢＸ Ｎｏ.）の加入者データベースで着信番号（３３３３）に対応する無線端末番号（０１０‐１１１１‐３３３３）を探す。このとき、データベースの検索を速く行うように基地局情報を活用することができる。
【０２９０】
以後、サービス制御ポイント（ＳＣＰ）１１５はホーム位置登録機（ＨＬＲ）１００に着信端末の位置を照会し（段階Ｕ５２２）、ホーム位置登録機（ＨＬＲ）１００は交換局システム１０３に位置照会メッセージを伝送した後、それに対応する着信端末位置応答メッセージを受信してまたサービス制御ポイント（ＳＣＰ）１１５に伝達する（段階Ｕ５２４ないしＵ５２８）。ここで、着信端末位置応答メッセージには着信端末のＷＰＢＸ Ｉｎ／Ｏｕｔ ＩＮＤ、基地局情報などが含まれる。
【０２９１】
着信端末位置応答を受信した後サービス制御ポイント（ＳＣＰ）１１５は、着信端末が私設無線網（ＷＰＢＸ）の領域内にあるか否かを判断して（段階Ｕ５３０）、着信端末が私設無線網（ＷＰＢＸ）の領域内に存在すると判断された場合には、交換局システム１０３に呼設定応答［Ｃａｌｌｉｎｇ：＃２２２２、Ｃａｌｌｅｄ：０１０‐１１１１‐３３３３］を伝送する（段階Ｕ５３２）。
【０２９２】
上記呼設定応答メッセージを受信した交換局システム１０３は、翻訳された着信端末番号を活用してＶＬＲ検索を行うとともに通話中状態であるか否かを確認する（段階Ｕ５３４）。
【０２９３】
以後、交換局システム１０３は、着信端末の通話中状態をサービス制御ポイント（ＳＣＰ）１１５に伝送し（段階Ｕ５３６）、サービス制御ポイント（ＳＣＰ）１１５では着信有線端末の存在可否を判断する（段階Ｕ５３８）。
【０２９４】
着信有線端末が存在しない場合、サービス制御ポイント（ＳＣＰ）１１５は着信端末の状態を交換局システム１０３に伝送して発信無線端末（ＭＳ）１に伝達されるようにする（段階Ｕ５４０及びＵ５４２）。
【０２９５】
一方、着信有線端末が存在する場合、サービス制御ポイント（ＳＣＰ）１１５は、交換局システム１０３に該当のＰＢＸルーティング情報を伝送し（段階Ｕ５４４）、交換局システム１０３は該当の私設交換機（ＰＢＸ）に対して呼設定のためのＩＳＵＰ処理を行う（段階Ｕ５４６）。
【０２９６】
私設交換機（ＰＢＸ）は、該当の有線端末３が通話中状態であるか否かを判断し（段階Ｕ５４８）、通話中状態であると確認された場合には交換局システム１０３にメッセージを伝送し、これによって着信有線端末３の状態が発信端末に伝達される（段階Ｕ５５０及びＵ５５２）。
【０２９７】
図３５に示した呼処理手続きを参照すれば、発信端末が私設交換機（ＰＢＸ）１０７に呼を要請したとき（Ｃａｌｌｉｎｇ：３３３３、Ｃａｌｌｅｄ：２２２２）（段階Ｕ６００）、私設交換機（ＰＢＸ）１０７は着信有線端末呼の通話中状態を判断する（段階Ｕ６０２）。
【０２９８】
私設交換機（ＰＢＸ）１０７は、着信有線端末４が通話中であると確認された場合、発信端末に通話中状態を知られる指示子（Ｂｕｓｙ Ｉｎｄ）を伝送し（段階Ｕ６０４）、着信有線端末４が通話中ではないと確認された場合には着／発信番号を翻訳する（Ｃａｌｌｉｎｇ：３３３３⇒＃３３３３、Ｃａｌｌｅｄ：２２２２⇒０１０‐１１１１‐２２２２）（段階Ｕ６０６）。
【０２９９】
以後、私設交換機（ＰＢＸ）１０７は、交換局システム１０３に翻訳された着／発信番号に対する呼要請メッセージ（ＩＡＭ）を伝送し（段階Ｕ６０８）、それによって交換局システム１０３はホーム位置登録機１００に着信呼位置を要請する（段階Ｕ６１０）。
ホーム位置登録機１００では交換局システム１０３の着信呼位置の要請に対応して、ＳＣＰルーティング情報が含まれた着信呼位置応答メッセージを交換局システム１０３に伝送する（段階Ｕ６１２）。
【０３００】
交換局システム１０３は、着信端末が私設無線網（ＷＰＢＸ）内に存在するか否かを判断したとき（段階Ｕ６１４）、存在しない場合には私設交換機（ＰＢＸ）１０７に対して有線端末着信呼処理を行い（段階Ｕ６１６）、これによって有線発信端末３と有線着信端末４との間の呼がセットアップされる（段階Ｕ６１８）。
【０３０１】
一方、着信端末が私設無線網（ＷＰＢＸ）内に存在する場合、交換局システム１０３は着信端末の状態を確認して通話中であるか否かを判断し（段階Ｕ６２０及びＵ６２２）、通話中状態であると確認された場合には私設交換機（ＰＢＸ）１０７に着信端末の通話中状態を知らせる呼設定応答メッセージを伝送する（段階Ｕ６２４）。これによって、私設交換機（ＰＢＸ）１０７は発信有線端末３に着信無線端末１が通話中であることを知らせるメッセージ（Ｂｕｓｙ Ｉｎｄ）を伝送する（段階Ｕ６２６）。
【０３０２】
以上のように、本発明は、たとえ限定された実施例と図面とによって説明されたが、本発明はこれによって限定されず、本発明が属する技術分野において通常の知識を持つ者により本発明の技術思想と特許請求範囲の均等範囲内で多様な修正及び変形が可能なのは言うまでもない。
【産業上の利用可能性】
【０３０３】
本発明による私設無線網統合サービスシステム及びその呼処理方法は、以下のような効果を奏する。
【０３０４】
第一、交換局システム（ＭＳＣ／ＶＬＲ、ＳＧＳＮ／ＶＬＲ、ＰＤＳＮ）と私設交換機（ＰＢＸ）とを直接的に連動させるか、公衆移動通信網（ＰＬＭＮ）の信号中継ポイント（ＳＴＰ）を活用したシグナルリンクを通じて、同期式ＣＤＭＡ、非同期式ＷＣＤＭＡ、あるいは今後の４Ｇの移動通信網を構成する既存システムの変更を最小化するので、初期投資費用と運用費用とが節減でき、私設無線網（ＷＰＢＸ）サービスを活性化させることができる。
【０３０５】
第二、公衆移動通信網と私設無線網との端末に対する、位置登録／認証、出入り状態の把握などの管理を統合的に行うことができる。
【０３０６】
第三、公衆移動通信網呼と私設無線網呼との区分なく通話中状態にある無線／有線端末に対する着信発生時、発信端末に通話中状態であることを知らせるので、加入者の使用上便宜とシステム管理の便宜を図ることができる。
【図１】
2010507960.tif 000003
【図２】
2010507960.tif 000004
【図３】
2010507960.tif 000005
【図４】
2010507960.tif 000006
【図５】
2010507960.tif 000007
【図６】
2010507960.tif 000008
【図７】
2010507960.tif 000009
【図８】
2010507960.tif 000010
【図９】
2010507960.tif 000011
【図１０】
2010507960.tif 000012
【図１１】
2010507960.tif 000013
【図１２】
2010507960.tif 000014
【図１３】
2010507960.tif 000015
【図１４】
2010507960.tif 000016
【図１５】
2010507960.tif 000017
【図１６】
2010507960.tif 000018
【図１７】
2010507960.tif 000019
【図１８】
2010507960.tif 000020
【図１９】
2010507960.tif 000021
【図２０】
2010507960.tif 000022
【図２１】
2010507960.tif 000023
【図２２】
2010507960.tif 000024
【図２３】
2010507960.tif 000025
【図２４】
2010507960.tif 000026
【図２５】
2010507960.tif 000027
【図２６】
2010507960.tif 000028
【図２７】
2010507960.tif 000029
【図２８】
2010507960.tif 000030
【図２９】
2010507960.tif 000031
【図３０】
2010507960.tif 000032
【図３１】
2010507960.tif 000033
【図３２】
2010507960.tif 000034
【図３３】
2010507960.tif 000035
【図３４】
2010507960.tif 000036
【図３５】
2010507960.tif 000037
【国際調査報告】
2010507960.tif 000038
2010507960.tif 000039